(57)【要約】  望ましくない毛を処理する方法が開示される。前記方法は、毛の毛包、真皮乳頭、毛隆起、および／または胚マトリックスに熱を発生させるように、毛に音波を伝達させることを含む。前記熱はそれ自体、前記毛包、前記真皮乳頭、前記毛隆起、および／または前記胚マトリックスを損傷または破壊するのに充分である。【選択図】  図２
2007522904.tif 000002
【特許請求の範囲】
【請求項１】
望ましくない毛を処理する方法であって、前記方法は、毛の毛包、真皮乳頭、毛隆起、および／または胚マトリックスに熱を発生させるように、毛に音波を伝達させることを含み、前記熱はそれ自体、前記毛包、前記真皮乳頭、前記毛隆起、および／または前記胚マトリックスを損傷または破壊するのに充分である方法。
【請求項２】
前記音波を毛に伝達させる前に、前記音波を集束させるために波コンデンサを使用することをさらに含む請求項１に記載の方法。
【請求項３】
前記音波の伝達前に、前記音波と毛との間の音響結合が増強されるように毛を挟持することをさらに含む請求項１に記載の方法。
【請求項４】
前記挟持は、前記音波の伝搬方向が、前記波コンデンサに入るときに毛の長手軸とほぼ平行になるように、毛および／または前記波コンデンサを配置することを含む請求項３に記載の方法。
【請求項５】
前記挟持は、前記音波の伝搬方向が、前記波コンデンサに入るときに毛の長手軸にほぼ直角になるように、毛および／または前記波コンデンサを配置することを含む請求項３に記載の方法。
【請求項６】
前記挟持は、前記音波の伝搬方向が、前記波コンデンサに入るときに毛の長手軸に対しほぼ傾斜するように、毛および／または前記波コンデンサを配置することを含む請求項３に記載の方法。
【請求項７】
毛の脱離が達成されるように毛を引っ張ることをさらに含む請求項３に記載の方法。
【請求項８】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項３に記載の方法。
【請求項９】
前記結合長は約１ｍｍより長い請求項８に記載の方法。
【請求項１０】
前記結合長は約６ｍｍより短い請求項８に記載の方法。
【請求項１１】
前記熱の前記発生は、前記毛包、前記真皮乳頭、前記毛隆起、および／または前記胚マトリックスにおける熱が結果的に少なくとも２０℃の温度上昇を引き起こす請求項１に記載の方法。
【請求項１２】
前記音波の周波数、出力密度、および伝達の持続時間の少なくとも一つが、毛の振動を最小化するように選択される請求項１に記載の方法。
【請求項１３】
前記毛の振動は毛の長手方向振動を含む請求項１２に記載の方法。
【請求項１４】
前記音波の前記周波数、前記出力密度、および／または前記伝達の持続時間を、毛の前記長手方向振動の固有振幅が１０マイクロメートル未満となるように選択する請求項１３に記載の方法。
【請求項１５】
前記音波の前記周波数、前記出力密度、および／または前記伝達の持続時間を、毛の前記長手方向振動の固有振幅が５マイクロメートル未満となるように選択する請求項１３に記載の方法。
【請求項１６】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１に記載の方法。
【請求項１７】
前記周波数はオフレゾナンス周波数である請求項１６に記載の方法。
【請求項１８】
前記音波は超音波を含む請求項１６に記載の方法。
【請求項１９】
前記超音波は少なくとも１５０ｋＨｚの周波数である請求項１８に記載の方法。
【請求項２０】
前記超音波は少なくとも５００ｋＨｚの周波数である請求項１８に記載の方法。
【請求項２１】
前記超音波は約１５０ｋＨｚから約１３００ｋＨｚまでの範囲の周波数である請求項１８に記載の方法。
【請求項２２】
前記超音波は約５００ｋＨｚから約１０００ｋＨｚまでの範囲の周波数である請求項１８に記載の方法。
【請求項２３】
前記音波の伝達の持続時間は約５秒未満である請求項１に記載の方法。
【請求項２４】
前記音波の伝達の持続時間は約１秒未満である請求項１に記載の方法。
【請求項２５】
望ましくない毛を処理するための装置であって、
音波を発生するためのトランスデューサと、
それ自体毛の毛包、真皮乳頭、毛隆起、および／または胚マトリックスを損傷または破壊するのに充分な熱が毛の毛包、真皮乳頭、毛隆起、および／または胚マトリックスに発生するように、前記音波を集束して毛に伝達させるための波コンデンサと
を含む、装置。
【請求項２６】
前記波コンデンサは、前記音波の伝搬方向が、前記波コンデンサに入るときに、毛の長手軸とほぼ平行になるように設計および構成される請求項２５に記載の装置。
【請求項２７】
前記波コンデンサは、前記音波の伝搬方向が、前記波コンデンサに入るときに、毛の長手軸に対しほぼ直角になるように設計および構成される請求項２５に記載の装置。
【請求項２８】
前記波コンデンサは、前記音波の伝搬方向が、波コンデンサに入るときに、毛の長手軸に対しほぼ傾斜するように設計および構成される請求項２５に記載の装置。
【請求項２９】
前記波コンデンサは、前記音波と毛との間の音響結合が増強されるように毛を挟持するように設計および構成される請求項２５に記載の装置。
【請求項３０】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項２９に記載の装置。
【請求項３１】
前記結合長は約１ｍｍより長い請求項３０に記載の装置。
【請求項３２】
前記結合長は約６ｍｍより短い請求項３０に記載の装置。
【請求項３３】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項２５に記載の装置。
【請求項３４】
前記音波の周波数、出力密度、および伝達の持続時間の少なくとも一つが、毛の振動を最小化するように選択される請求項２５に記載の装置。
【請求項３５】
前記毛の振動は毛の長手方向振動を含む請求項３４に記載の装置。
【請求項３６】
前記音波の前記周波数、前記出力密度、および／または前記伝達の持続時間を、毛の前記長手方向振動の固有振幅が１０マイクロメートル未満となるように選択する請求項３５に記載の装置。
【請求項３７】
前記音波の前記周波数、前記出力密度、および／または前記伝達の持続時間を、毛の前記長手方向振動の固有振幅が５マイクロメートル未満となるように選択する請求項３５に記載の装置。
【請求項３８】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項２５に記載の装置。
【請求項３９】
前記周波数はオフレゾナンス周波数である請求項３８に記載の装置。
【請求項４０】
前記トランスデューサは超音波を発生する超音波トランスデューサである請求項３８に記載の装置。
【請求項４１】
前記トランスデューサは、圧電セラミック素子および圧電複合素子から成る群から選択された能動素子を含む請求項２５に記載の装置。
【請求項４２】
前記トランスデューサは第１部分および第２部分を含み、前記第１部分および前記第２部分の各々が少なくとも１つの能動素子を含む請求項４１に記載の装置。
【請求項４３】
前記波コンデンサは、前記トランスデューサの前記第１部分に結合された第１部分と、前記トランスデューサの前記第２部分に結合された第２部分とを含む請求項４１に記載の装置。
【請求項４４】
前記トランスデューサは平面状能動素子を含む請求項４１に記載の装置。
【請求項４５】
前記トランスデューサは凹面状能動素子を含む請求項４１に記載の装置。
【請求項４６】
前記トランスデューサは、表面上に配列された複数の能動素子を含む請求項４１に記載の装置。
【請求項４７】
前記表面は平面である請求項４６に記載の装置。
【請求項４８】
前記表面は凹面である請求項４６に記載の装置。
【請求項４９】
前記音波を前記波コンデンサ内に集束するように設計および構成された、前記トランスデューサおよび前記波コンデンサを結合する集束素子をさらに含む請求項２５に記載の装置。
【請求項５０】
前記トランスデューサは第１部分および第２部分を含み、前記第１部分および前記第２部分の各々が少なくとも１つの能動素子を含む請求項４９に記載の装置。
【請求項５１】
前記波コンデンサおよび前記集束素子の各々は第１部分および第２部分を含み、前記集束素子の前記第１部分は前記トランスデューサの前記第１部分と、前記波コンデンサの第１部分とを結合し、前記集束素子の前記第２部分は前記トランスデューサの前記第２部分と、前記波コンデンサの第２部分とを結合する請求項４１に記載の装置。
【請求項５２】
前記集束素子はテーパ状ハウジングを含む請求項４９に記載の装置。
【請求項５３】
前記テーパ状ハウジングのプロファイルは、段付きプロファイル、直線状プロファイル、セグメント化直線状プロファイル、および指数関数的プロファイルから成る群から選択される請求項５２に記載の装置。
【請求項５４】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項４６に記載の装置。
【請求項５５】
前記波コンデンサは、前記音波のエネルギーが複数の方向から毛に伝達されるように毛を受容するように構成されたチャンバを含む請求項４０に記載の装置。
【請求項５６】
前記チャンバは超音波伝導ゲルを包含する請求項５５に記載の装置。
【請求項５７】
前記波コンデンサは、約１ミリメートルから約１０ミリメートルまでの曲率半径を特徴とする表面を含む請求項５５に記載の装置。
【請求項５８】
前記表面の形状は球面、円筒面、楕円面、放物面、双曲面、およびそれらの任意の組合せまたはそれらの一部分から成る群から選択される請求項５７に記載の装置。
【請求項５９】
前記波コンデンサは、分割するように作動し、それによって毛を受容するための間隙を形成する請求項２５に記載の装置。
【請求項６０】
前記波コンデンサおよび前記トランスデューサは、分割するように作動し、それによって毛を受容するための間隙を形成する請求項２５に記載の装置。
【請求項６１】
前記波コンデンサならびに前記トランスデューサおよび前記集束素子の少なくとも１つは、分割するように作動し、それによって毛を受容するための間隙を形成する請求項４９に記載の装置。
【請求項６２】
毛に対して前記波コンデンサを移動させるための駆動機構をさらに含む請求項５９に記載の装置。
【請求項６３】
前記波コンデンサは、前記波コンデンサが分割したときに毛が前記間隙に係合し、前記波コンデンサが再組立されたときに、毛が前記波コンデンサによって挟持され、前記音波によって照射されるように、周期的に分割および再組立されるように作動することができる請求項６２に記載の装置。
【請求項６４】
前記駆動機構は前記波コンデンサに回転運動をもたらすように構成される請求項６２に記載の装置。
【請求項６５】
前記駆動機構は前記波コンデンサに往復直線運動をもたらすように構成される請求項６２に記載の装置。
【請求項６６】
毛を捕捉するために、前記波コンデンサと協働して作動する毛捕捉器をさらに含む請求項２５に記載の装置。
【請求項６７】
前記毛捕捉器は、ブラシ、ネット、およびクランプからなる群から選択される請求項６６に記載の装置。
【請求項６８】
前記毛捕捉器は超音波伝導ゲルを毛に塗るように作動することができる請求項６６に記載の装置。
【請求項６９】
前記超音波伝導ゲルをさらに含む請求項６６に記載の装置。
【請求項７０】
前記毛捕捉器は、毛の脱離を達成するために毛を引っ張るように作動することができる請求項６６に記載の装置。
【請求項７１】
前記超音波は少なくとも１５０ｋＨｚの周波数である請求項４０に記載の装置。
【請求項７２】
前記超音波は少なくとも５００ｋＨｚの周波数である請求項４０に記載の装置。
【請求項７３】
前記超音波は約１５０ｋＨｚから約１３００ｋＨｚまでの範囲の周波数である請求項４０に記載の装置。
【請求項７４】
前記超音波は約５００ｋＨｚから約１０００ｋＨｚまでの範囲の周波数である請求項４０に記載の装置。
【請求項７５】
前記トランスデューサは、１平方センチメートル当たり少なくとも１ワットの出力密度の音波を発生するように構成される請求項２５に記載の装置。
【請求項７６】
前記トランスデューサは、１平方センチメートル当たり約１ワットから１平方センチメートル当たり約１００ワットまでの出力密度の音波を発生するように構成される請求項２５に記載の装置。
【請求項７７】
望ましくない毛を処理する方法であって、前記方法は、毛の一部分を挟持し、毛に音波を伝達させることを含み、前記毛の一部分の長さは、毛と前記音波との間の音響結合が増強されるように選択される方法。
【請求項７８】
前記毛に音波を伝達させることは、毛の毛包、真皮乳頭、毛隆起、および／または胚マトリックスに熱を発生させるためであり、前記熱はそれ自体、前記毛包、前記真皮乳頭、前記毛隆起、および／または前記胚マトリックスを損傷または破壊するのに充分である請求項７７に記載の方法。
【請求項７９】
前記音波を毛に伝達させる前に、前記音波を集束させるために波コンデンサを使用することをさらに含む請求項７７に記載の方法。
【請求項８０】
前記挟持は、前記音波の伝搬方向が、前記波コンデンサに入るときに毛の長手軸とほぼ平行になるように、毛および／または前記波コンデンサを配置することを含む請求項７９に記載の方法。
【請求項８１】
前記挟持は、前記音波の伝搬方向が、前記波コンデンサに入るときに毛の長手軸にほぼ直角になるように、毛および／または前記波コンデンサを配置することを含む請求項７９に記載の方法。
【請求項８２】
前記挟持は、前記音波の伝搬方向が、前記波コンデンサに入るときに毛の長手軸に対しほぼ傾斜するように、毛および／または前記波コンデンサを配置することを含む請求項７９に記載の方法。
【請求項８３】
毛の脱離が達成されるように毛を引っ張ることをさらに含む請求項７９に記載の方法。
【請求項８４】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項７９に記載の方法。
【請求項８５】
前記結合長は約１ｍｍより長い請求項８４に記載の方法。
【請求項８６】
前記結合長は約６ｍｍより短い請求項８４に記載の方法。
【請求項８７】
前記熱の前記発生は、前記毛包、前記真皮乳頭、前記毛隆起、および／または前記胚マトリックスにおける熱が結果的に少なくとも２０℃の温度上昇を引き起こす請求項７７に記載の方法。
【請求項８８】
前記音波の周波数、出力密度、および伝達の持続時間の少なくとも一つが、毛の振動を最小化するように選択される請求項７７に記載の方法。
【請求項８９】
前記毛の振動は毛の長手方向振動を含む請求項１２に記載の方法。
【請求項９０】
前記音波の前記周波数、前記出力密度、および／または前記伝達の持続時間を、毛の前記長手方向振動の固有振幅が１０マイクロメートル未満となるように選択する請求項８９に記載の方法。
【請求項９１】
前記音波の前記周波数、前記出力密度、および／または前記伝達の持続時間を、毛の前記長手方向振動の固有振幅が５マイクロメートル未満となるように選択する請求項８９に記載の方法。
【請求項９２】
前記音波の周波数、出力密度、および伝達の持続時間の少なくとも一つは、前記熱の前記発生が、前記毛包、前記真皮乳頭、前記毛隆起、および／または前記胚マトリックスにおける熱が結果的に少なくとも２０℃の温度上昇を引き起こすように、選択される請求項７７に記載の方法。
【請求項９３】
前記周波数はオフレゾナンス周波数である請求項９２に記載の方法。
【請求項９４】
前記音波は超音波を含む請求項９２に記載の方法。
【請求項９５】
前記超音波は少なくとも１５０ｋＨｚの周波数である請求項９４に記載の方法。
【請求項９６】
前記超音波は少なくとも５００ｋＨｚの周波数である請求項９４に記載の方法。
【請求項９７】
前記超音波は約１５０ｋＨｚから約１３００ｋＨｚまでの範囲の周波数である請求項９４に記載の方法。
【請求項９８】
前記超音波は約５００ｋＨｚから約１０００ｋＨｚまでの範囲の周波数である請求項９４に記載の方法。
【請求項９９】
前記音波の伝達の持続時間は約５秒未満である請求項７７に記載の方法。
【請求項１００】
前記音波の伝達の持続時間は約１秒未満である請求項７７に記載の方法。
【請求項１０１】
望ましくない毛を処理するための装置であって、音波を発生するためのトランスデューサと、前記音波を集束して毛に伝達させるための波コンデンサとを含み、前記波コンデンサが毛と前記音波との間の音響結合を増強するように毛を挟持するように設計および構成される、装置。
【請求項１０２】
前記トランスデューサおよび前記波コンデンサは、前記音波が毛に伝達するとき、毛の毛包、真皮乳頭、毛隆起、および／または胚マトリックスに熱を発生させ、前記熱はそれ自体、前記毛包、前記真皮乳頭、前記毛隆起、および／または前記胚マトリックスを損傷または破壊するのに充分であるように設計および構成される請求項１０１に記載の装置。
【請求項１０３】
前記波コンデンサは、前記音波の伝搬方向が、前記波コンデンサに入るときに、毛の長手軸とほぼ平行になるように設計および構成される請求項１０１に記載の装置。
【請求項１０４】
前記波コンデンサは、前記音波の伝搬方向が、前記波コンデンサに入るときに、毛の長手軸に対しほぼ直角になるように設計および構成される請求項１０１に記載の装置。
【請求項１０５】
前記波コンデンサは、前記音波の伝搬方向が、前記波コンデンサに入るときに、毛の長手軸に対しほぼ傾斜するように設計および構成される請求項１０１に記載の装置。
【請求項１０６】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項１０１に記載の装置。
【請求項１０７】
前記結合長は約１ｍｍより長い請求項１０６に記載の装置。
【請求項１０８】
前記結合長は約６ｍｍより短い請求項１０６に記載の装置。
【請求項１０９】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項１０１に記載の装置。
【請求項１１０】
前記音波の周波数、出力密度、および伝達の持続時間の少なくとも一つが、毛の振動を最小化するように選択される請求項１０１に記載の装置。
【請求項１１１】
前記毛の振動は毛の長手方向振動を含む請求項１１０に記載の装置。
【請求項１１２】
前記音波の前記周波数、前記出力密度、および／または前記伝達の持続時間を、毛の前記長手方向振動の固有振幅が１０マイクロメートル未満となるように選択する請求項１１１に記載の装置。
【請求項１１３】
前記音波の前記周波数、前記出力密度、および／または前記伝達の持続時間を、毛の前記長手方向振動の固有振幅が５マイクロメートル未満となるように選択する請求項１１１に記載の装置。
【請求項１１４】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１０１に記載の装置。
【請求項１１５】
前記周波数はオフレゾナンス周波数である請求項１１４に記載の装置。
【請求項１１６】
前記トランスデューサは、超音波を発生する超音波トランスデューサである請求項１１４に記載の装置。
【請求項１１７】
前記トランスデューサは、圧電セラミック素子および圧電複合素子から成る群から選択された能動素子を含む請求項１０１に記載の装置。
【請求項１１８】
前記トランスデューサは第１部分および第２部分を含み、前記第１部分および前記第２部分の各々が少なくとも１つの能動素子を含む請求項１１７に記載の装置。
【請求項１１９】
前記波コンデンサは、前記トランスデューサの前記第１部分に結合された第１部分と、前記トランスデューサの前記第２部分に結合された第２部分とを含む請求項１１７に記載の装置。
【請求項１２０】
前記トランスデューサは平面状能動素子を含む請求項１１７に記載の装置。
【請求項１２１】
前記トランスデューサは凹面状能動素子を含む請求項１１７に記載の装置。
【請求項１２２】
前記トランスデューサは、表面上に配列された複数の能動素子を含む請求項１１７に記載の装置。
【請求項１２３】
前記表面は平面である請求項１２２に記載の装置。
【請求項１２４】
前記表面は凹面である請求項１２２に記載の装置。
【請求項１２５】
前記音波を前記波コンデンサ内に集束するように設計および構成された、前記トランスデューサおよび前記波コンデンサを結合する集束素子をさらに含む請求項１０１に記載の装置。
【請求項１２６】
前記トランスデューサは第１部分および第２部分を含み、前記第１部分および前記第２部分の各々が少なくとも１つの能動素子を含む請求項１２５に記載の装置。
【請求項１２７】
前記波コンデンサおよび前記集束素子の各々は第１部分および第２部分を含み、前記集束素子の前記第１部分は前記トランスデューサの前記第１部分と、前記波コンデンサの第１部分とを結合し、前記集束素子の前記第２部分は前記トランスデューサの前記第２部分と、前記波コンデンサの第２部分とを結合する請求項１１７に記載の装置。
【請求項１２８】
前記集束素子はテーパ状ハウジングを含む請求項１２５に記載の装置。
【請求項１２９】
前記テーパ状ハウジングのプロファイルは、段付きプロファイル、直線状プロファイル、セグメント化直線状プロファイル、および指数関数的プロファイルから成る群から選択される請求項１２８に記載の装置。
【請求項１３０】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項１２２に記載の装置。
【請求項１３１】
前記波コンデンサは、前記音波のエネルギーが複数の方向から毛に伝達されるように毛を受容するように構成されたチャンバを含む請求項１１６に記載の装置。
【請求項１３２】
前記チャンバは超音波伝導ゲルを包含する請求項１３１に記載の装置。
【請求項１３３】
前記波コンデンサは、約１ミリメートルから約１０ミリメートルまでの曲率半径を特徴とする表面を含む請求項１３１に記載の装置。
【請求項１３４】
前記表面の形状は球面、円筒面、楕円面、放物面、双曲面、およびそれらの任意の組合せまたはそれらの一部分から成る群から選択される請求項１３３に記載の装置。
【請求項１３５】
前記波コンデンサは、分割するように作動し、それによって毛を受容するための間隙を形成する請求項１０１に記載の装置。
【請求項１３６】
前記波コンデンサおよび前記トランスデューサは、分割するように作動し、それによって毛を受容するための間隙を形成する請求項１０１に記載の装置。
【請求項１３７】
前記波コンデンサならびに前記トランスデューサおよび前記集束素子の少なくとも１つは、分割するように作動し、それによって毛を受容するための間隙を形成する請求項１２５に記載の装置。
【請求項１３８】
毛に対して前記波コンデンサを移動させるための駆動機構をさらに含む請求項１３５に記載の装置。
【請求項１３９】
前記波コンデンサは、前記波コンデンサが分割したときに毛が前記間隙に係合し、前記波コンデンサが再組立されたときに、毛が前記波コンデンサによって挟持され、前記音波によって照射されるように、周期的に分割および再組立されるように作動することができる請求項１３８に記載の装置。
【請求項１４０】
前記駆動機構は前記波コンデンサに回転運動をもたらすように構成される請求項１３８に記載の装置。
【請求項１４１】
前記駆動機構は前記波コンデンサに往復直線運動をもたらすように構成される請求項１３８に記載の装置。
【請求項１４２】
毛を捕捉するために、前記波コンデンサと協働して作動する毛捕捉器をさらに含む請求項１０１に記載の装置。
【請求項１４３】
前記毛捕捉器は、ブラシ、ネット、およびクランプからなる群から選択される請求項１４２に記載の装置。
【請求項１４４】
前記毛捕捉器は超音波伝導ゲルを毛に塗るように作動することができる請求項１４２に記載の装置。
【請求項１４５】
前記超音波伝導ゲルをさらに含む請求項１４２に記載の装置。
【請求項１４６】
前記毛捕捉器は、毛の脱離を達成するために毛を引っ張るように作動することができる請求項１４２に記載の装置。
【請求項１４７】
前記超音波は少なくとも１５０ｋＨｚの周波数である請求項１１６に記載の装置。
【請求項１４８】
前記超音波は少なくとも５００ｋＨｚの周波数である請求項１１６に記載の装置。
【請求項１４９】
前記超音波は約１５０ｋＨｚから約１３００ｋＨｚまでの範囲の周波数である請求項１１６記載の装置。
【請求項１５０】
前記超音波は約５００ｋＨｚから約１０００ｋＨｚまでの範囲の周波数である請求項１１６に記載の装置。
【請求項１５１】
前記トランスデューサは、１平方センチメートル当たり少なくとも１ワットの出力密度の音波を発生するように構成される請求項１０１に記載の装置。
【請求項１５２】
前記トランスデューサは、１平方センチメートル当たり約１ワットから１平方センチメートル当たり約１００ワットまでの出力密度の音波を発生するように構成される請求項１０１に記載の装置。
【請求項１５３】
望ましくない毛を処理する方法であって、前記方法は毛に音波を伝達させることを含み、前記音波の周波数、出力密度、および伝達の持続時間のうちの少なくとも１つは、毛の振動を最小化するように選択される方法。
【請求項１５４】
前記毛の振動は毛の長手方向振動を含む請求項１５３に記載の方法。
【請求項１５５】
前記毛に音波を伝達させることは、毛の毛包、真皮乳頭、毛隆起、および／または胚マトリックスに熱を発生させるためであり、前記熱はそれ自体、前記毛包、前記真皮乳頭、前記毛隆起、および／または前記胚マトリックスを損傷または破壊するのに充分である請求項１５３に記載の方法。
【請求項１５６】
前記音波を毛に伝達させる前に、前記音波を集束させるために波コンデンサを使用することをさらに含む請求項１５３に記載の方法。
【請求項１５７】
前記音波の伝達前に、前記音波と毛との間の音響結合が増強されるように毛を挟持することをさらに含む請求項１５３に記載の方法。
【請求項１５８】
前記挟持は、前記音波の伝搬方向が、前記波コンデンサに入るときに毛の長手軸とほぼ平行になるように、毛および／または前記波コンデンサを配置することを含む請求項１５７に記載の方法。
【請求項１５９】
前記挟持は、前記音波の伝搬方向が、前記波コンデンサに入るときに毛の長手軸にほぼ直角になるように、毛および／または前記波コンデンサを配置することを含む請求項１５７に記載の方法。
【請求項１６０】
前記挟持は、前記音波の伝搬方向が、前記波コンデンサに入るときに毛の長手軸に対しほぼ傾斜するように、毛および／または前記波コンデンサを配置することを含む請求項１５７に記載の方法。
【請求項１６１】
毛の脱離が達成されるように毛を引っ張ることをさらに含む請求項１５７に記載の方法。
【請求項１６２】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項１５７に記載の方法。
【請求項１６３】
前記結合長は約１ｍｍより長い請求項１６２に記載の方法。
【請求項１６４】
前記結合長は約６ｍｍより短い請求項１６２に記載の方法。
【請求項１６５】
前記熱の発生は、前記毛包、前記真皮乳頭、前記毛隆起、および／または前記胚マトリックスにおける前記熱が結果的に少なくとも２０℃の温度上昇を生じるように設計および構成される請求項１５３に記載の方法。
【請求項１６６】
前記音波の前記周波数、前記出力密度、および／または前記伝達の持続時間を、毛の前記長手方向振動の固有振幅が１０マイクロメートル未満となるように選択する請求項１５４に記載の方法。
【請求項１６７】
前記音波の前記周波数、前記出力密度、および／または前記伝達の持続時間を、毛の前記長手方向振動の固有振幅が５マイクロメートル未満となるように選択する請求項１５４に記載の方法。
【請求項１６８】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１５３に記載の方法。
【請求項１６９】
前記周波数はオフレゾナンス周波数である請求項１６８に記載の方法。
【請求項１７０】
前記音波は超音波を含む請求項１６８に記載の方法。
【請求項１７１】
前記超音波は少なくとも１５０ｋＨｚの周波数である請求項１７０に記載の方法。
【請求項１７２】
前記超音波は少なくとも５００ｋＨｚの周波数である請求項１７０に記載の方法。
【請求項１７３】
前記超音波は約１５０ｋＨｚから約１３００ｋＨｚまでの範囲の周波数である請求項１７０に記載の方法。
【請求項１７４】
前記超音波は約５００ｋＨｚから約１０００ｋＨｚまでの範囲の周波数である請求項１７０に記載の方法。
【請求項１７５】
前記音波の伝達の持続時間は約５秒未満である請求項１５３に記載の方法。
【請求項１７６】
前記音波の伝達の持続時間は約１秒未満である請求項１５３に記載の方法。
【請求項１７７】
望ましくない毛を処理するための装置であって、音波を発生するためのトランスデューサと、前記音波を集束して毛に伝達させるための波コンデンサとを含み、前記音波の周波数、出力密度、および伝達の持続時間のうちの少なくとも１つが毛の振動を最小化するように選択される、装置。
【請求項１７８】
前記毛の振動は毛の長手方向振動を含む請求項１７７に記載の装置。
【請求項１７９】
前記トランスデューサおよび前記波コンデンサは、前記音波が毛に伝達するとき、毛の毛包、真皮乳頭、毛隆起、および／または胚マトリックスに熱を発生させ、前記熱はそれ自体、前記毛包、前記真皮乳頭、前記毛隆起、および／または前記胚マトリックスを損傷または破壊するのに充分であるように設計および構成される請求項１７７に記載の装置。
【請求項１８０】
前記波コンデンサは、前記音波の伝搬方向が、前記波コンデンサに入るときに、毛の長手軸とほぼ平行になるように設計および構成される請求項１７７に記載の装置。
【請求項１８１】
前記波コンデンサは、前記音波の伝搬方向が、前記波コンデンサに入るときに、毛の長手軸に対しほぼ直角になるように設計および構成される請求項１７７に記載の装置。
【請求項１８２】
前記波コンデンサは、前記音波の伝搬方向が、波コンデンサに入るときに、毛の長手軸に対しほぼ傾斜するように設計および構成される請求項１７７に記載の装置。
【請求項１８３】
前記波コンデンサは、前記音波と毛との間の音響結合が増強されるように毛を挟持するように設計および構成される請求項１７７に記載の装置。
【請求項１８４】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項１８３に記載の装置。
【請求項１８５】
前記結合長は約１ｍｍより長い請求項１８４に記載の装置。
【請求項１８６】
前記結合長は約６ｍｍより短い請求項１８４に記載の装置。
【請求項１８７】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項１７７に記載の装置。
【請求項１８８】
前記音波の前記周波数、前記出力密度、および／または前記伝達の持続時間を、毛の前記長手方向振動の固有振幅が１０マイクロメートル未満となるように選択する請求項１７８に記載の装置。
【請求項１８９】
前記音波の前記周波数、前記出力密度、および／または前記伝達の持続時間を、毛の前記長手方向振動の固有振幅が５マイクロメートル未満となるように選択する請求項１７８に記載の装置。
【請求項１９０】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１７７に記載の装置。
【請求項１９１】
前記周波数はオフレゾナンス周波数である請求項１９０に記載の装置。
【請求項１９２】
前記トランスデューサは、超音波を発生する超音波トランスデューサである請求項１９０に記載の装置。
【請求項１９３】
前記トランスデューサは、圧電セラミック素子および圧電複合素子から成る群から選択された能動素子を含む請求項１７７に記載の装置。
【請求項１９４】
前記トランスデューサは第１部分および第２部分を含み、前記第１部分および前記第２部分の各々が少なくとも１つの能動素子を含む請求項１９３に記載の装置。
【請求項１９５】
前記波コンデンサは、前記トランスデューサの前記第１部分に結合された第１部分と、前記トランスデューサの前記第２部分に結合された第２部分とを含む請求項１９３に記載の装置。
【請求項１９６】
前記トランスデューサは平面状能動素子を含む請求項１９３に記載の装置。
【請求項１９７】
前記トランスデューサは凹面状能動素子を含む請求項１９３に記載の装置。
【請求項１９８】
前記トランスデューサは、表面上に配列された複数の能動素子を含む請求項１９３に記載の装置。
【請求項１９９】
前記表面は平面である請求項１９８に記載の装置。
【請求項２００】
前記表面は凹面である請求項１９８に記載の装置。
【請求項２０１】
前記音波を前記波コンデンサ内に集束するように設計および構成された、前記トランスデューサおよび前記波コンデンサを結合する集束素子をさらに含む請求項１７７に記載の装置。
【請求項２０２】
前記トランスデューサは第１部分および第２部分を含み、前記第１部分および前記第２部分の各々が少なくとも１つの能動素子を含む請求項２０１に記載の装置。
【請求項２０３】
前記波コンデンサおよび前記集束素子の各々は第１部分および第２部分を含み、前記集束素子の前記第１部分は前記トランスデューサの前記第１部分と、前記波コンデンサの前記第１部分とを結合し、前記集束素子の前記第２部分は前記トランスデューサの前記第２部分と、前記波コンデンサの前記第２部分とを結合する請求項１９３に記載の装置。
【請求項２０４】
前記集束素子はテーパ状ハウジングを含む請求項２０１に記載の装置。
【請求項２０５】
前記テーパ状ハウジングのプロファイルは、段付きプロファイル、直線状プロファイル、セグメント化直線状プロファイル、および指数関数的プロファイルから成る群から選択される請求項２０４に記載の装置。
【請求項２０６】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項１９８に記載の装置。
【請求項２０７】
前記波コンデンサは、前記音波のエネルギーが複数の方向から毛に伝達されるように毛を受容するように構成されたチャンバを含む請求項１９２に記載の装置。
【請求項２０８】
前記チャンバは超音波伝導ゲルを包含する請求項２０７に記載の装置。
【請求項２０９】
前記波コンデンサは、約１ミリメートルから約１０ミリメートルまでの曲率半径を特徴とする表面を含む請求項２０７に記載の装置。
【請求項２１０】
前記表面の形状は球面、円筒面、楕円面、放物面、双曲面、およびそれらの任意の組合せまたはそれらの一部分から成る群から選択される請求項２０９に記載の装置。
【請求項２１１】
前記波コンデンサは、分割するように作動し、それによって毛を受容するための間隙を形成する請求項１７７に記載の装置。
【請求項２１２】
前記波コンデンサおよび前記トランスデューサは、分割するように作動し、それによって毛を受容するための間隙を形成する請求項１７７に記載の装置。
【請求項２１３】
前記波コンデンサならびに前記トランスデューサおよび前記集束素子の少なくとも１つは、分割するように作動し、それによって毛を受容するための間隙を形成する請求項２０１に記載の装置。
【請求項２１４】
毛に対して前記波コンデンサを移動させるための駆動機構をさらに含む請求項２１１に記載の装置。
【請求項２１５】
前記波コンデンサは、前記波コンデンサが分割したときに毛が前記間隙に係合し、前記波コンデンサが再組立されたときに、毛が前記波コンデンサによって挟持され、前記音波によって照射されるように、周期的に分割および再組立されるように作動することができる請求項２１４に記載の装置。
【請求項２１６】
前記駆動機構は前記波コンデンサに回転運動をもたらすように構成される請求項２１４に記載の装置。
【請求項２１７】
前記駆動機構は前記波コンデンサに往復直線運動をもたらすように構成される請求項２１４に記載の装置。
【請求項２１８】
毛を捕捉するために、前記波コンデンサと協働して作動する毛捕捉器をさらに含む請求項１７７に記載の装置。
【請求項２１９】
前記毛捕捉器は、ブラシ、ネット、およびクランプからなる群から選択される請求項２１８に記載の装置。
【請求項２２０】
前記毛捕捉器は超音波伝導ゲルを毛に塗るように作動することができる請求項２１８に記載の装置。
【請求項２２１】
前記超音波伝導ゲルをさらに含む請求項２１８に記載の装置。
【請求項２２２】
前記毛捕捉器は、毛の脱離を達成するために毛を引っ張るように作動することができる請求項２１８に記載の装置。
【請求項２２３】
前記超音波は少なくとも１５０ｋＨｚの周波数である請求項１９２に記載の装置。
【請求項２２４】
前記超音波は少なくとも５００ｋＨｚの周波数である請求項１９２に記載の装置。
【請求項２２５】
前記超音波は約１５０ｋＨｚから約１３００ｋＨｚまでの範囲の周波数である請求１９２に記載の装置。
【請求項２２６】
前記超音波は約５００ｋＨｚから約１０００ｋＨｚまでの範囲の周波数である請求項１９２に記載の装置。
【請求項２２７】
前記トランスデューサは、１平方センチメートル当たり少なくとも１ワットの出力密度の音波を発生するように構成される請求項１７７に記載の装置。
【請求項２２８】
前記トランスデューサは、１平方センチメートル当たり約１ワットから１平方センチメートル当たり約１００ワットまでの出力密度の音波を発生するように構成される請求項１７７に記載の装置。
【請求項２２９】
望ましくない毛を処理する方法であって、約１５０ｋＨｚから約１３００ｋＨｚまでの周波数の音波を毛に伝達させることを含む方法。
【請求項２３０】
前記毛に音波を伝達させることは、毛の毛包、真皮乳頭、毛隆起、および／または胚マトリックスに熱を発生させるためであり、前記熱はそれ自体、前記毛包、前記真皮乳頭、前記毛隆起、および／または前記胚マトリックスを損傷または破壊するのに充分である請求項２２９に記載の方法。
【請求項２３１】
前記音波を毛に伝達させる前に、前記音波を集束させるために波コンデンサを使用することをさらに含む請求項２２９に記載の方法。
【請求項２３２】
前記音波の伝達前に、前記音波と毛との間の音響結合が増強されるように毛を挟持することをさらに含む請求項２２９に記載の方法。
【請求項２３３】
前記挟持は、前記音波の伝搬方向が、前記波コンデンサに入るときに毛の長手軸とほぼ平行になるように、毛および／または前記波コンデンサを配置することを含む請求項２３２に記載の方法。
【請求項２３４】
前記挟持は、前記音波の伝搬方向が、前記波コンデンサに入るときに毛の長手軸にほぼ直角になるように、毛および／または前記波コンデンサを配置することを含む請求項２３２に記載の方法。
【請求項２３５】
前記挟持は、前記音波の伝搬方向が、前記波コンデンサに入るときに毛の長手軸に対しほぼ傾斜するように、毛および／または前記波コンデンサを配置することを含む請求項２３２に記載の方法。
【請求項２３６】
毛の脱離が達成されるように毛を引っ張ることをさらに含む請求項２３２に記載の方法。
【請求項２３７】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項２３２に記載の方法。
【請求項２３８】
前記結合長は約１ｍｍより長い請求項２３７に記載の方法。
【請求項２３９】
前記結合長は約６ｍｍより短い請求項２３７に記載の方法。
【請求項２４０】
前記熱の発生は、前記毛包、前記真皮乳頭、前記毛隆起、および／または前記胚マトリックスにおける前記熱が結果的に少なくとも２０℃の温度上昇を生じるように設計および構成される請求項２２９に記載の方法。
【請求項２４１】
前記音波の周波数、出力密度、および伝達の持続時間の少なくとも一つが、毛の振動を最小化するように選択される請求項２２９に記載の方法。
【請求項２４２】
前記毛の振動は毛の長手方向振動を含む請求項１２に記載の方法。
【請求項２４３】
前記音波の前記周波数、前記出力密度、および／または前記伝達の持続時間を、毛の前記長手方向振動の固有振幅が１０マイクロメートル未満となるように選択する請求項２４２に記載の方法。
【請求項２４４】
前記音波の前記周波数、前記出力密度、および／または前記伝達の持続時間を、毛の前記長手方向振動の固有振幅が５マイクロメートル未満となるように選択する請求項２４２に記載の方法。
【請求項２４５】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項２２９に記載の方法。
【請求項２４６】
前記周波数はオフレゾナンス周波数である請求項２４５に記載の方法。
【請求項２４７】
前記音波の伝達の持続時間は約５秒未満である請求項２２９に記載の方法。
【請求項２４８】
前記音波の伝達の持続時間は約１秒未満である請求項２２９に記載の方法。
【請求項２４９】
望ましくない毛を処理するための装置であって、約１５０ｋＨｚから約１３００ｋＨｚまでの周波数の音波を発生するためのトランスデューサと、前記音波を集束して毛に伝達させるための波コンデンサとを含む装置。
【請求項２５０】
前記トランスデューサおよび前記波コンデンサは、前記音波が毛に伝達するとき、毛の毛包、真皮乳頭、毛隆起、および／または胚マトリックスに熱を発生させ、前記熱はそれ自体、前記毛包、前記真皮乳頭、前記毛隆起、および／または前記胚マトリックスを損傷または破壊するのに充分であるように設計および構成される請求項２４９に記載の装置。
【請求項２５１】
前記波コンデンサは、前記音波の伝搬方向が、前記波コンデンサに入るときに毛の長手軸とほぼ平行になるように設計および構成される請求項２４９に記載の装置。
【請求項２５２】
前記波コンデンサは、前記音波の伝搬方向が、前記波コンデンサに入るときに毛の長手軸に対しほぼ直角になるように設計および構成される請求項２４９に記載の装置。
【請求項２５３】
前記波コンデンサは、前記音波の伝搬方向が、波コンデンサに入るときに毛の長手軸に対しほぼ傾斜するように設計および構成される請求項２４９に記載の装置。
【請求項２５４】
前記波コンデンサは、前記音波と毛との間の音響結合が増強されるように毛を挟持するように設計および構成される請求項２４９に記載の装置。
【請求項２５５】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項２５４に記載の装置。
【請求項２５６】
前記結合長は約１ｍｍより長い請求項２５５に記載の装置。
【請求項２５７】
前記結合長は約６ｍｍより短い請求項２５５に記載の装置。
【請求項２５８】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項２４９に記載の装置。
【請求項２５９】
前記音波の周波数、出力密度、および伝達の持続時間の少なくとも一つが、毛の振動を最小化するように選択される請求項２４９に記載の装置。
【請求項２６０】
前記毛の振動は毛の長手方向振動を含む請求項２５９に記載の装置。
【請求項２６１】
前記音波の前記周波数、前記出力密度、および／または前記伝達の持続時間を、毛の前記長手方向振動の固有振幅が１０マイクロメートル未満となるように選択する請求項２６０に記載の装置。
【請求項２６２】
前記音波の前記周波数、前記出力密度、および／または前記伝達の持続時間を、毛の前記長手方向振動の固有振幅が５マイクロメートル未満となるように選択する請求項２６０に記載の装置。
【請求項２６３】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項２４９に記載の装置。
【請求項２６４】
前記周波数はオフレゾナンス周波数である請求項２６３に記載の装置。
【請求項２６５】
前記トランスデューサは、超音波を発生する超音波トランスデューサである請求項２６３に記載の装置。
【請求項２６６】
前記トランスデューサは、圧電セラミック素子および圧電複合素子から成る群から選択された能動素子を含む請求項２４９に記載の装置。
【請求項２６７】
前記トランスデューサは第１部分および第２部分を含み、前記第１部分および前記第２部分の各々が少なくとも１つの能動素子を含む請求項２６６に記載の装置。
【請求項２６８】
前記波コンデンサは、前記トランスデューサの前記第１部分に結合された第１部分と、前記トランスデューサの前記第２部分に結合された第２部分とを含む請求項２６６に記載の装置。
【請求項２６９】
前記トランスデューサは平面状能動素子を含む請求項２６６に記載の装置。
【請求項２７０】
前記トランスデューサは凹面状能動素子を含む請求項２６６に記載の装置。
【請求項２７１】
前記トランスデューサは、表面上に配列された複数の能動素子を含む請求項２６６に記載の装置。
【請求項２７２】
前記表面は平面である請求項２７１に記載の装置。
【請求項２７３】
前記表面は凹面である請求項２７１に記載の装置。
【請求項２７４】
前記音波を前記波コンデンサ内に集束するように設計および構成された、前記トランスデューサおよび前記波コンデンサを結合する集束素子をさらに含む請求項２４９に記載の装置。
【請求項２７５】
前記トランスデューサは第１部分および第２部分を含み、前記第１部分および前記第２部分の各々が少なくとも１つの能動素子を含む請求項２７４に記載の装置。
【請求項２７６】
前記波コンデンサおよび前記集束素子の各々は第１部分および第２部分を含み、前記集束素子の前記第１部分は前記トランスデューサの前記第１部分と、前記波コンデンサの前記第１部分とを結合し、前記集束素子の前記第２部分は前記トランスデューサの前記第２部分と、前記波コンデンサの前記第２部分とを結合する請求項２６６に記載の装置。
【請求項２７７】
前記集束素子はテーパ状ハウジングを含む請求項２７４に記載の装置。
【請求項２７８】
前記テーパ状ハウジングのプロファイルは、段付きプロファイル、直線状プロファイル、セグメント化直線状プロファイル、および指数関数的プロファイルから成る群から選択される請求項２７７に記載の装置。
【請求項２７９】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項２７１に記載の装置。
【請求項２８０】
前記波コンデンサは、前記音波のエネルギーが複数の方向から毛に伝達されるように毛を受容するように構成されたチャンバを含む請求項２６５に記載の装置。
【請求項２８１】
前記チャンバは超音波伝導ゲルを包含する請求項２８０に記載の装置。
【請求項２８２】
前記波コンデンサは、約１ミリメートルから約１０ミリメートルまでの曲率半径を特徴とする表面を含む請求項２８０に記載の装置。
【請求項２８３】
前記表面の形状は球面、円筒面、楕円面、放物面、双曲面、およびそれらの任意の組合せまたはそれらの一部分から成る群から選択される請求項２８２に記載の装置。
【請求項２８４】
前記波コンデンサは、分割するように作動し、それによって毛を受容するための間隙を形成する請求項２４９に記載の装置。
【請求項２８５】
前記波コンデンサおよび前記トランスデューサは、分割するように作動し、それによって毛を受容するための間隙を形成する請求項２４９に記載の装置。
【請求項２８６】
前記波コンデンサならびに前記トランスデューサおよび前記集束素子の少なくとも１つは、分割するように作動し、それによって毛を受容するための間隙を形成する請求項２７４に記載の装置。
【請求項２８７】
毛に対して前記波コンデンサを移動させるための駆動機構をさらに含む請求項２８４に記載の装置。
【請求項２８８】
前記波コンデンサは、前記波コンデンサが分割したときに、毛が前記間隙に係合し、前記波コンデンサが再組立されたときに、毛が前記波コンデンサによって挟持され、前記音波によって照射されるように、周期的に分割および再組立されるように作動することができる請求項２８７に記載の装置。
【請求項２８９】
前記駆動機構は前記波コンデンサに回転運動をもたらすように構成される請求項２８７に記載の装置。
【請求項２９０】
前記駆動機構は前記波コンデンサに往復直線運動をもたらすように構成される請求項２８７に記載の装置。
【請求項２９１】
毛を捕捉するために、前記波コンデンサと協働して作動する毛捕捉器をさらに含む請求項２４９に記載の装置。
【請求項２９２】
前記毛捕捉器は、ブラシ、ネット、およびクランプからなる群から選択される請求項２９１に記載の装置。
【請求項２９３】
前記毛捕捉器は超音波伝導ゲルを毛に塗るように作動することができる請求項２９１に記載の装置。
【請求項２９４】
前記超音波伝導ゲルをさらに含む請求項２９１に記載の装置。
【請求項２９５】
前記毛捕捉器は、毛の脱離を達成するために毛を引っ張るように作動することができる請求項２９１に記載の装置。
【請求項２９６】
前記超音波は少なくとも１５０ｋＨｚの周波数である請求項２６５に記載の装置。
【請求項２９７】
前記超音波は少なくとも５００ｋＨｚの周波数である請求項２６５に記載の装置。
【請求項２９８】
前記超音波は約１５０ｋＨｚから約１３００ｋＨｚまでの範囲の周波数である請求項２６５に記載の装置。
【請求項２９９】
前記超音波は約５００ｋＨｚから約１０００ｋＨｚまでの範囲の周波数である請求項２６５に記載の装置。
【請求項３００】
前記トランスデューサは、１平方センチメートル当たり少なくとも１ワットの出力密度の音波を発生するように構成される請求項２４９に記載の装置。
【請求項３０１】
前記トランスデューサは、１平方センチメートル当たり約１ワットから１平方センチメートル当たり約１００ワットまでの出力密度の音波を発生するように構成される請求項２４９に記載の装置。
【発明の詳細な説明】
【技術分野】
【０００１】
本発明はエステティックケアに関し、特に、脱毛のための方法および装置に関する。
【背景技術】
【０００２】
毛は、外側のキューティクル、中間のコルテックス、中心のメデュラと呼ばれる３層に配列されたケラチンというタンパク質から構成される。毛は、皮膚の下に埋没する杯状小窩である毛包から成長する。毛包の壁が、毛の外毛根鞘を形成する。真皮乳頭と呼ばれる毛包の基部には、新しい毛を生成する栄養物（例えば栄養素および酸素）を運び、かつそのプロセスで形成された老廃物（例えばＣＯ２）を除去する血流によって栄養が供給される。毛包の下部が広がり、発毛の源である胚マトリックスを含む毛球を形成する。立毛筋と呼ばれる小さい平滑筋の付着部位を形成する毛包の小さい膨らみである毛隆起で、発毛は開始される。成長期（毛の成長段階）中に、真皮乳頭は、毛包に沿って下方に移動する毛隆起の幹細胞に信号を送る。真皮乳頭により誘発されると、幹細胞は増殖を開始し、細胞分化の後、新しい毛幹を形成する。
【０００３】
望ましくない毛の除去のための様々な方法および装置が存在する［Ｈｗａｎｇ  Ｌｉｅｗ、Ｄｅｒｍａｔｏｌｏｇｉｃ  Ｓｕｒｇｅｒｙ、２５：６、Ｊｕｎｅ  １９９９、４３１〜４３９］。公知の装置は一般的に、挟持、引張り、および／または切断手段を使用して、組織に固定される毛をむしり取る。既存の技術は、短期および長期脱毛技術の２つの主要カテゴリに分類することができる。
【０００４】
短期脱毛技術では、各毛の基部に見られる生体再生および／または再成長メカニズムを著しく損傷することなく、脱毛が行なわれる。そのような技術は、皮膚の外側に位置する毛幹の部分にだけ作用する一方、（真皮乳頭に付着する毛包中の）毛の生体部分は成長し続ける。最も一般的な短期脱毛技術は、剃毛、回転機械脱毛、ワックス脱毛、および化学的脱毛を含む。
【０００５】
剃毛は切り傷を引き起こし、かつ毛の再成長率の増大の感覚がある。また、剃毛は、望まない剃り跡を残すことがある。回転機械脱毛装置は、少々痛みのある方法で毛を挟持して引き抜く回転挟持機構を含む。
【０００６】
ワックス脱毛は、ワックスに付着した毛の大部分を取り出して、毛を引裂き、あるいは毛をその毛包および乳頭から引き離すものであるが、乳頭自体を少なくとも部分的に生きた状態で残す。したがって、生細胞が新しい毛の発芽域を確立し、その後、発毛の回復を導く。ワックス脱毛は、毛乳頭および皮膚の毛穴をひりひりと痛む状態に、また感染を受けやすい状態にし、静脈瘤、ほくろ、またはいぼの場合、使用することができない。
【０００７】
化学的脱毛は、毛のタンパク質構造を溶解して毛包からの毛の分離を導く高濃度のアルカリ性薬品、一般にチオグリコール酸カルシウムの使用を含む。化学脱毛は時々、皮膚のかぶれを伴う。化学脱毛は乳頭自体を少なくとも部分的に生きた状態にし、毛の再成長を可能にする。
【０００８】
短期脱毛技術とは逆に、長期脱毛技術は脱毛される毛の生体再成長メカニズムに作用し、それにより、処理された器官からの望ましくない毛の再成長を阻止する潜在的可能性を持つ。最も一般的に長期脱毛技術には、電気分解、レーザ、および強力パルス（非レーザ）光を含む。
【０００９】
毛包の胚芽細胞を電気化学的に破壊するヒドロキシルイオンを形成するために、毛根に直流電流を送ることによって、電気分解は実行される。電気分解はまた、毛包の水分を加熱し発芽毛細胞を凝結させるため、高周波電流を使用して実行することもできる。電気分解は永久脱毛方法とみなされているが、依然として、脱毛された毛の１５〜５０％は処理後に再成長する。さらに、電気分解は、毛包内への針の挿入を利用しており、それは少々痛みがありかつ感染しやすいプロセスである。この手順の成果は、電気分解装置を操作する人間の技量に大きく依存し、非熟練処理は色素沈着、皮膚の瘢痕、感染症、および小さい感電を引き起こすこともある。
【００１０】
米国特許第５６３２７４１号および第５７５２９４８号は、レーザ照射による脱毛のための装置を開示している。毛包に集束レーザビームを照射し、その結果、毛包の温度上昇および破壊が生じる。しかし、この技術は個人の毛の色に依存し、主として暗色の毛および明色の皮膚の組合せである場合に、好ましい結果を達成する。明色の毛を持つ個人の場合、レーザエネルギーの吸収を促進するように、照射前に炭素ローションを塗布することができるが、この改善により、充分な結果は得られない。暗色の毛および明色の皮膚を持つ最適な候補者でさえ、１２週間後には４０〜８０％の毛の再成長を免れない。さらにレーザ技術により、かぶれ、皮膚の変化、色素沈着、および時には瘢痕のような強い副作用を有する。
【００１１】
強力パルス光法では、フィルタを通した光エネルギーが真皮で熱に変換され、毛の色素によって吸収され、毛の構造を破壊し、毛の再成長を損なう。この方法は、従来のレーザ技術よりずっと大きいスポットサイズを有する。したがって、処理領域をより速く、かつより少数のセッションでカバーすることができる。他方、その皮膚より大きい面積が、熱傷および色素沈着変化のような副作用を生じる危険性がある。この方法により、光の連続パルス間の間隔を延ばすことによって、皮膚に対しある程度の問題の緩和を達成することができる。しかし、パルス間の間隔が長いと、毛包を冷却させることにもなるので、処理の効果を必然的に低下させる。
【００１２】
米国特許第４５６６４５４号は、高周波エネルギー伝導に対する毛のインピーダンスが他の高周波周波数の場合より実質的に低くなるように選択された周波数で高周波を毛に照射することを開示している。概して、この技術の主な原理は、共振周波数が毛によって異なるため、所与の毛に対しそのインピーダンスを低減する高周波共振周波数を見つけて選択することから成る。米国特許第５４７０３３２号に開示された別の技術は、電磁エネルギーを照射する前に毛を前処理することから成る。この前処理は、電磁エネルギーが毛根に到達する前に、毛が電磁エネルギーを受け入れ易いようにする。
【００１３】
国際特許出願第ＷＯ０１／１３７５７号および第ＷＯ０１／０３３９９１号は、脱毛すべき毛を低周波振動に曝す脱毛方法を開示している。低周波振動は、毛を通す（ＷＯ０１／１３７５７）、または処理域に照射する（ＷＯ０１／０３３９９１）かのいずれかで、毛根に伝達され、毛根を周囲の組織から分離させる力を発揮する。該分離は主として、毛幹の比較的大きい振動振幅（数十マイクロメートルないし数ミリメートル、振動発生器に依存する）によるものである。ＷＯ０１／１３７５７およびＷＯ０１／０３３９９１は４桁の大きさの周波数範囲（１０Ｈｚ〜１００ｋＨｚ）を記載しているが、好適な振動周波数は１キロヘルツ以下であることを教示している。この技術には２つの主要な欠陥がある。第一に、低周波数の振動は結果的に、毛幹によるエネルギーの低吸収および毛幹内の熱の発生をもたらす。第二に、大きい振動振幅は毛幹を弱化し、波を毛根に効果的に伝達するその能力を低減させる。
【００１４】
国際特許出願公開第ＷＯ０１／２６７３５号は、除毛すべき毛に近接する処理域で共振超音波を利用することによって、望ましい毛の除毛のための技術を開示している。
【００１５】
国際特許出願公開第ＷＯ００／２１６１２号は、超音波力を利用することによって望ましくない毛を脱毛するための技術を開示する。該技術には、ビームの領域が最小かつビームの強度が最高となる音響焦点を有する集束超音波ビームの生成を含む。超音波ビームは、皮膚を通して照射され、毛乳頭の上の皮膚層に侵入し、その焦点は乳頭に到達する。ビームのパラメータは、焦点における超音波エネルギーが生細胞を破壊するために充分に高いと言われる一方、皮膚の単位面積当たりの強度が乳頭の上の皮膚を損傷しないように充分に小さくなるようにする。ＷＯ００／２１６１２は、３桁の大きさの超音波周波数範囲（２０ｋＨｚないし２５ＭＨｚ）を記載しているが、好適な超音波周波数は３０００ｋＨｚないし７０００ｋＨｚであると教示している。しかし、そのような高い周波数は吸収性が非常に高く、毛幹物質によってあまりよく誘導されないので、超音波を毛根に向かって正確に方向付ける必要がある。超音波ビームの焦点が毛根からずれると、結果的に処置が無効になり、かつ対象者に不必要な痛みをもたらす。ＷＯ００／２１６１２もまた、一般的に１ＭＨｚから５０ＭＨｚまで、特に１５ＭＨｚから２５ＭＨｚまでの範囲の周波数に対し、毛幹を導波路として使用する超音波照射の適用を教示している。そのような高い超音波周波数では、毛幹によるエネルギー吸収率は、毛を通しての毛包内へのエネルギー伝搬を阻止する。加えて、ＷＯ００／２１６１２は、１ｋＨｚないし５ＭＨｚの周波数範囲で超音波を使用して照射することによって、毛根内にキャビテーションが発生することを教示している。超音波は皮膚を通して毛根を照射する。他の実施形態は、１ｋＨｚないし５ＭＨｚ、好ましくは２ＭＨｚないし５ＭＨｚの周波数範囲の超音波を使用して、毛包に疲労効果を引き起こす、共振力およびトルクによって毛の抜出しをもたらすことに向けられている。
【００１６】
国際特許出願公開第ＷＯ０２／０９８１３号は、超音波によって運ばれるエネルギーの吸収の結果として、毛包に損傷をもたらすのに充分な程度に組織の温度が上昇するまで、脱毛しようとする領域に超音波を当てる、脱毛方法を開示している。上述したＷＯ００／２１６１２と同様に、ＷＯ０２／０９８１３は、数十分の１ミリメートル程度の横方向寸法および数ミリメートルの縦方向の広がりを持つ焦点スポットを得るように、超音波を集束する必要があることを教示している。小さい焦点スポットを正確に毛包に向けて、消耗の破壊をもたらさなければならない。
【００１７】
国際特許出願公開第ＷＯ０３／０６５３４７号は、超音波振動の集束ビームによる組織の処理方法を開示している。ＷＯ０３／０６５３４７は、超音波振動を処理域に集束させる平凹レンズを使用する。
【００１８】
米国特許出願公開第２００２／０１６５５２９号は、除毛の治療効果を達成するように皮下組織を処理する方法を開示している。治療効果は、超音波エネルギーを表面下の組織に送達することによって得ることができる。２つ以上の超音波送達要素は、結果的に得られるそれらの出力が所望の表面下の位置と強め合うように干渉し、かつそこに集束されるように、配列状に配置される。
【００１９】
国際特許出願公開第ＷＯ９９／０２９２４５号は、２つの処理ステップを含む永久脱毛方法を開示する。第１ステップで、超音波を利用してアルカリイオンが皮膚および毛包の周囲に導入され、第２ステップでは、可視領域の放射エネルギーを使用して、アルカリイオンと毛包との間の破壊的化学反応が増強される。
【００２０】
米国特許第６５４４２５９号は、毛包を破壊するように、選択された皮膚域に高周波放射線が照射される脱毛方法を開示している。その後、皮膚域に超音波を当てて、破壊された毛包を持つ毛を揺さぶり、こうして毛と皮膚域およびその下の領域との間の結合を緩める。ひとたび結合が緩むと、毛が毛包から引き出される。
【００２１】
米国特許６２００３２６号は、皮膚を経て個々の毛包に通された針に超音波エネルギーを伝達することによる、長期脱毛のための方法および装置を開示している。毛包の周囲の領域内に結果的に発生するキャビテーションは、毛包の破壊を引き起こす。
【００２２】
脱毛に超音波を使用することを教示するさらなる先行技術として、日本国特許第２００１０２９１２６号および第８１５４７２８号がある。
【００２３】
本発明は、先行技術の脱毛技術に関連する問題の解決策を提供する。
【発明の開示】
【００２４】
先行技術は、毛幹を通して音波を伝達することにより毛根を破壊するのに十分な熱を発生する、脱毛方法を提供できていない。
【００２５】
先行技術は、望ましくない毛の脱毛に音波を使用することを記載しているが、先行技術は、毛幹を通して毛包内への音波の伝達を達成するのに適した周波数範囲を提供できていない。
【００２６】
さらに、先行技術は、毛幹を通して音波を伝達することを可能にするために、いかにして音波と毛幹を効果的に結合するかを教示できていない。
【００２７】
さらに、先行技術は、毛管の振動を最小化することによって、毛幹を通しての音波の伝達が改善される脱毛方法を提示できていない。
【００２８】
したがって、本発明の目的は、毛幹を通して音波を少なくとも毛包内に効果的に伝達することによる脱毛のための方法および装置を提供することである。
【００２９】
さらに本発明の目的は、音波が毛根を破壊するのに充分な熱を発生する脱毛のための方法および装置を提供することである。
【００３０】
さらに本発明の目的は、毛幹と音波との間の結合が強化される脱毛のための方法および装置を提供することである。
【００３１】
さらに本発明の目的は、毛幹の振動を最小化することによって、毛幹を通した音波の伝達を改善する、脱毛のための方法および装置を提供することである。
【００３２】
したがって、本発明の１態様では、望ましくない毛を処理する方法を提供する。該方法は、毛の毛包、真皮乳頭、毛隆起、および／または胚マトリックスに熱を発生させるように、毛に音波を伝達させることを含む。本発明の好適な実施形態では、熱はそれ自体、毛包、真皮乳頭、毛隆起、および／または胚マトリックスを損傷かつ／または破壊するのに充分である。
【００３３】
本発明の別の態様では、望ましくない毛を処理する方法を提供する。該方法は、毛の一部分を挟持し、毛に音波を伝達させることを含み、毛の一部分の長さは、毛と音波との間の音響結合（ａｃｏｕｓｔｉｃ  ｃｏｕｐｌｉｎｇ）が増強されるように選択される。
【００３４】
本発明のさらなる態様では、望ましくない毛を処理する方法を提供する。該方法は毛に音波を伝達させることを含み、音波の周波数、出力密度、および伝達時間のうちの少なくとも１つは、毛の振動を最小化するように選択される。
【００３５】
下述する本発明の好適な実施形態のさらなる特徴では、音波の周波数、出力密度、および伝達の持続時間は、毛の縦方向（長手方向）振動を最小化するように選択される。
【００３６】
本発明のさらに別の態様では、望ましくない毛を処理する方法を提供する。該方法は、約１５０ｋＨｚから約１３００ｋＨｚまでの周波数の音波を毛に伝達させることを含む。
【００３７】
下述する本発明の好適な実施形態のさらなる特徴では、該方法はさらに、音波を毛に伝達させる前に、音波を集束させるために波コンデンサ（ｗａｖｅ  ｃｏｎｄｅｎｓｅｒ）を使用することを含む。
【００３８】
記載した好適な実施形態のさらなる特徴では、挟持は、音波の伝搬方向が、波コンデンサに入るときに毛の長手軸とほぼ平行になるように、毛および／または波コンデンサを配置することを含む。
【００３９】
記載した好適な実施形態のさらなる特徴では、挟持は、音波の伝搬方向が、波コンデンサに入るときに毛の長手軸にほぼ直角になるように、毛および／または波コンデンサを配置することを含む。
【００４０】
記載した好適な実施形態のさらなる特徴では、挟持は、音波の伝搬方向が、波コンデンサに入るときに毛の長手軸に対しほぼ傾斜するように、毛および／または波コンデンサを配置することを含む。
【００４１】
記載した好適な実施形態のさらなる特徴では、該方法はさらに、音波の伝達前に、音波と毛との間の音響結合が増強されるように毛を挟持することを含む。
【００４２】
記載した好適な実施形態のさらなる特徴では、該方法はさらに、毛の脱離が達成されるように毛を引っ張ることを含む。
【００４３】
記載した好適な実施形態のさらなる特徴では、熱の発生は、毛包、真皮乳頭、毛隆起、および／または胚マトリックスにおける熱が結果的に少なくとも２０℃、より好ましくは少なくとも３０℃、最も好ましくは少なくとも４０℃の温度上昇を引き起こすようにする。
【００４４】
記載した好適な実施形態のさらなる特徴では、音波は超音波を含む。
【００４５】
記載した好適な実施形態のさらなる特徴では、音波の伝達の持続時間は約５秒未満である。記載した好適な実施形態のさらなる特徴では、音波の伝達の持続時間は約１秒未満である。
【００４６】
本発明のさらに別の態様では、望ましくない毛を処理するための装置であって、音波を発生するためのトランスデューサと、それ自体毛包、真皮乳頭、毛隆起、および／または胚マトリックスを破壊するのに充分な熱が毛の毛包、真皮乳頭、毛隆起、および／または胚マトリックスに発生するように、音波を集束して毛に伝達させるための波コンデンサとを含む、装置を提供する。
【００４７】
本発明のさらに別の態様では、望ましくない毛を処理するための装置であって、音波を発生するためのトランスデューサと、音波を集束して毛に伝達させるための波コンデンサとを含み、波コンデンサが毛の一部分に沿って毛を挟持するように設計および構成され、前記一部分の長さが毛と音波との間の音響結合を増強するように選択される、装置を提供する。
【００４８】
本発明のさらに別の態様では、望ましくない毛を処理するための装置であって、音波を発生するためのトランスデューサと、音波を集束して毛に伝達させるための波コンデンサとを含み、音波の周波数、出力密度、および伝達の持続時間のうちの少なくとも１つが毛の振動を最小化するように選択される、装置を提供する。下述する本発明の好適な実施形態のさらなる特徴では、該最小化は縦方向振動の最小化である。
【００４９】
本発明のさらに別の態様では、望ましくない毛を処理するための装置であって、約１５０ｋＨｚから約１３００ｋＨｚまでの周波数の音波を発生するためのトランスデューサと、音波を集束して毛に伝達させるための波コンデンサとを含む装置を提供する。
【００５０】
下述する本発明の好適な実施形態のさらなる特徴では、波コンデンサは、音波の伝搬方向が、波コンデンサに入るときに毛の長手軸とほぼ平行になるように設計および構成される。
【００５１】
記載した好適な実施形態のさらなる特徴では、波コンデンサは、音波の伝搬方向が、波コンデンサに入るときに毛の長手軸に対しほぼ直角になるように設計および構成される。
【００５２】
記載した好適な実施形態のさらなる特徴では、波コンデンサは、音波の伝搬方向が、波コンデンサに入るときに毛の長手軸に対しほぼ傾斜するように設計および構成される。
【００５３】
記載した好適な実施形態のさらなる特徴では、波コンデンサは、音波と毛との間の音響結合が増強されるように毛を挟持するように設計および構成される。
【００５４】
記載した好適な実施形態のさらなる特徴では、音響結合は、毛包、真皮乳頭、毛隆起、および／または胚マトリックスにおける熱が結果的に少なくとも２０℃の温度上昇を生じるように選択された結合長によって特徴付けられる。
【００５５】
記載した好適な実施形態のさらなる特徴では、結合長は約１ｍｍより長い。記載した好適な実施形態のさらに別の特徴では、結合長は約６ｍｍより短い。
【００５６】
記載した好適な実施形態のさらなる特徴では、トランスデューサおよび波コンデンサは、毛包、真皮乳頭、毛隆起、および／または胚マトリックスにおける熱が結果的に少なくとも２０℃の温度上昇を生じるように設計および構成される。
【００５７】
記載した好適な実施形態のさらなる特徴では、音波の周波数、出力密度および伝達の持続時間の少なくとも１つが、毛の長手方向振動を最小化するように選択される。
【００５８】
記載した好適な実施形態のさらなる特徴では、音波の周波数、出力密度、および／または伝達の持続時間を、毛の長手方向振動の固有振幅が１０マイクロメートル未満となるように選択する。
【００５９】
記載した好適な実施形態のさらなる特徴では、周波数はオフレゾナンス周波数である。
【００６０】
記載した好適な実施形態のさらなる特徴では、トランスデューサは第１部分および第２部分を含み、第１部分および第２部分の各々が少なくとも１つの能動素子を含む。
【００６１】
記載した好適な実施形態のさらなる特徴では、波コンデンサは、トランスデューサの第１部分に結合された第１部分と、トランスデューサの第２部分に結合された第２部分とを含む。
【００６２】
記載した好適な実施形態のさらなる特徴では、トランスデューサは、超音波を発生する超音波トランスデューサである。
【００６３】
記載した好適な実施形態のさらなる特徴では、トランスデューサは、圧電セラミック素子および圧電複合素子から成る群から選択された能動素子を含む。
【００６４】
記載した好適な実施形態のさらなる特徴では、トランスデューサは平面状能動素子を含む。
【００６５】
記載した好適な実施形態のさらなる特徴では、トランスデューサは凹面状能動素子を含む。
【００６６】
記載した好適な実施形態のさらなる特徴では、トランスデューサは、表面上に配列された複数の能動素子を含む。
【００６７】
記載した好適な実施形態のさらなる特徴では、表面は平面である。
【００６８】
記載した好適な実施形態のさらなる特徴では、表面は凹面である。
【００６９】
記載した好適な実施形態のさらなる特徴では、装置はさらに、音波を波コンデンサ内に集束するように設計および構成された、トランスデューサおよび波コンデンサを結合する集束素子を含む。
【００７０】
記載した好適な実施形態のさらなる特徴では、波コンデンサおよび集束素子の各々は第１部分および第２部分を含み、集束素子の第１および第２部分はそれぞれ、トランスデューサの第１および第２部分と、波コンデンサの第１および第２部分とを結合する。
【００７１】
記載した好適な実施形態のさらなる特徴では、集束素子はテーパ状ハウジングを含む。
【００７２】
記載した好適な実施形態のさらなる特徴では、テーパ状ハウジングのプロファイルは、段付きプロファイル、直線状プロファイル、セグメント化直線状プロファイル、および指数関数的プロファイルから成る群から選択される。
【００７３】
記載した好適な実施形態のさらなる特徴では、装置はさらに、複数の集束素子の各々の集束素子が複数の能動素子のうちの１つの能動素子に接続されるように配列され、音波のそれぞれの部分を波コンデンサに集束するように設計および構成された複数の集束素子を含む。
【００７４】
記載した好適な実施形態のさらなる特徴では、波コンデンサは、音波のエネルギーが複数の放射方向から毛に伝達されるように毛を受容するように構成されたチャンバを含む。
【００７５】
記載した好適な実施形態のさらなる特徴では、チャンバは超音波伝導ゲルを包含する。
【００７６】
記載した好適な実施形態のさらなる特徴では、波コンデンサは、約１ミリメートルから約１０ミリメートルまでの曲率半径を特徴とする表面を含む。
【００７７】
記載した好適な実施形態のさらなる特徴では、表面の形状は球面、円筒面、楕円面、放物面、双曲面、およびそれらの任意の組合せまたはそれらの一部分から成る群から選択される。
【００７８】
記載した好適な実施形態のさらなる特徴では、波コンデンサは、分割するように作動し、それによって毛を受容するための間隙を形成する。
【００７９】
記載した好適な実施形態のさらなる特徴では、波コンデンサおよびトランスデューサは、分割するように作動し、それによって毛を受容するための間隙を形成する。
【００８０】
記載した好適な実施形態のさらなる特徴では、波コンデンサならびにトランスデューサおよび集束素子の少なくとも１つは、分割するように作動し、それによって毛を受容するための間隙を形成する。
【００８１】
記載した好適な実施形態のさらなる特徴では、装置はさらに、毛に対して波コンデンサを移動させるための駆動機構を含む。
【００８２】
記載した好適な実施形態のさらなる特徴では、波コンデンサは、波コンデンサが分割したときに、毛が間隙に係合し、波コンデンサが再組立されたときに、毛が波コンデンサによって挟持され、音波によって照射されるように、周期的に分割および再組立されるように作動することができる。
【００８３】
記載した好適な実施形態のさらなる特徴では、駆動機構は波コンデンサに回転運動をもたらすように構成される。
【００８４】
記載した好適な実施形態のさらなる特徴では、駆動機構は波コンデンサに往復直線運動をもたらすように構成される。
【００８５】
記載した好適な実施形態のさらなる特徴では、装置はさらに、毛を捕捉するために、波コンデンサと協働して作動する毛捕捉器を含む。
【００８６】
記載した好適な実施形態のさらなる特徴では、毛捕捉器は、ブラシ、ネット、およびクランプからなる群から選択される。
【００８７】
記載した好適な実施形態のさらなる特徴では、毛捕捉器は超音波伝導ゲルを塗るように作動することができる。記載した好適な実施形態のさらなる特徴では、装置はさらに超音波伝導ゲルを含む。
【００８８】
記載した好適な実施形態のさらなる特徴では、毛捕捉器は、毛の脱離を達成するために毛を引っ張るように作動することができる。
【００８９】
記載した好適な実施形態のさらなる特徴では、超音波は少なくとも１５０ｋＨｚの周波数である。記載した好適な実施形態のさらなる特徴では、超音波は少なくとも５００ｋＨｚの周波数である。
【００９０】
記載した好適な実施形態のさらなる特徴では、超音波は約１５０ｋＨｚから約１３００ｋＨｚまでの範囲の周波数である。記載した好適な実施形態のさらなる特徴では、超音波は約５００ｋＨｚから約１０００ｋＨｚまでの範囲の周波数である。
【００９１】
記載した好適な実施形態のさらなる特徴では、トランスデューサは、１平方センチメートル当たり少なくとも１ワット、より好ましくは１平方センチメートル当たり約１ワットから１平方センチメートル当たり約１００ワットまでの出力密度の音波を発生するように構成される。
【００９２】
本発明は、先行技術を超える特性を享受する脱毛のための方法および装置を提供することによって、現在公知の構成の短所に対処することに成功している。
【００９３】
別途定義されない限り、本明細書中で使用されるすべての技術的用語および科学的用語は、本発明が属する技術分野の当業者によって一般に理解されるのと同じ意味する。本明細書中に記載される方法および材料と類似または同等の方法および材料を本発明の実施または試験において使用することができるが、好適な方法および材料が下記に記載される。矛盾する場合には、定義を含めて、本特許明細書が優先する。加えて、材料、方法および実施例は例示にすぎず、限定であることは意図されない。
【００９４】
図面の説明
本明細書では本発明を単に例示し図面を参照して説明する。特に詳細に図面を参照して、示されている詳細が例示として本発明の好ましい実施態様を例示考察することだけを目的としており、本発明の原理や概念の側面の最も有用でかつ容易に理解される説明であると考えられるものを提供するために提示していることを強調するものである。この点について、本発明を基本的に理解するのに必要である以上に詳細に本発明の構造の詳細は示さないが、図面について行う説明によって本発明のいくつもの形態を実施する方法は当業者には明らかになるであろう。
【００９５】
図１は本発明の様々な例示的実施形態に従って、望ましくない毛を処理するための方法のフローチャートである。
図２は本発明の様々な例示的実施形態に従って、望ましくない毛を処理するための装置の略図である。
図３ａ〜ｂは波コンデンサに入るときの音波の伝搬方向が毛の長手軸とほぼ平行である、好適な実施形態の波コンデンサの略図である。
図４ａ〜ｂは波コンデンサに入るときの音波の伝搬方向が毛の長手軸に対しほぼ直角である、望ましくない毛を処理するための装置の略図である。
図５ａ〜ｄは本発明の様々な例示的実施形態に係る集束素子のテーパ状ハウジングの可能な様々な形状の略図である。
図６ａ〜ｂは本発明の例示的実施形態に係る音波トランスデューサおよび集束素子の略図である。
図７ａ〜ｃは本発明の様々な例示的実施形態に係る、毛捕捉器を含む望ましくない毛を処理するための装置の略図である。
図８は本発明の様々な例示的実施形態に係る、毛の形状の簡易モデルの図である。
図９は本発明の様々な例示的実施形態に従って超音波によって処理された毛幹の赤外線画像である。
図１０は結合長の関数としての毛幹の温度を示す。
図１１は本発明の様々な例示的実施形態に従って超音波によって処理された毛幹および毛球の赤外線画像である。
図１２ａ〜ｃは超音波による処理前（図１２ａ）および処理後（図１２ｂ〜ｃ）の毛球を比較した光学顕微鏡画像である。
【発明を実施するための最良の形態】
【００９６】
本発明は、望ましくない単数または複数の毛を処理するために使用することのできる方法および装置である。特に、本発明は、毛根からの毛の再成長を一時的に、または永久に防止するように、毛根を破壊するために使用することができる。本発明はさらに、脱毛用に指定した毛で覆われた表面から脱毛するために使用することができる。
【００９７】
本発明による方法および装置の原理および操作は、図面および添付された説明を参照してより良く理解することができる。
【００９８】
本発明の少なくとも１つの実施形態を詳細に説明する前に、本発明は、その適用において、下記の説明に述べられかつ図面に例示される構成要素の配置および構造の細部に限定されないことを理解しなければならない。本発明は、他の実施形態が可能であり、または様々な方法で実施することができ、または様々な方法で実施される。また、本明細書中で用いられる表現および用語は説明のためであり、従って限定として見なされるべきではないことを理解しなければならない。
【００９９】
ここで、図面を参照すると、図１は、本発明の好適な実施形態に従って望ましくない毛を処理するための方法のフローチャートである。特に明記しない限り、下述する該方法のステップは、多くの組合せまたは実行順序で、同時にまたは順次実行することができることを理解されたい。特に、図１のフローチャートの順序付けおよび数字はいずれも、限定とみなすべきではない。例えば、以下の説明または図１のフローチャートに特定の順序で現われる２つ以上の方法ステップは、異なる順序で（例えば逆順に）、または実質的に同時に実行することができる。
【０１００】
該方法はステップ１０で開始され、任意選択的に、好ましくはステップ１２に続き、そこで毛を挟持または捕捉する。挟持／捕捉は、毛と後のステップ（下記のステップ１４参照）でそこを通して伝達される音波との間の音響結合を増強することを目的としており、当業界で公知のいずれかの装置、例えばブラシ、ネット、クランプおよび類似物を使用して行なうことができる。
【０１０１】
該方法はステップ１４に続き、そこで音波、例えば超音波が毛を通して伝達される。後述する実施例の部分で実証する通り、音波によって運ばれるエネルギーは、本発明の様々な実施形態で音波導波路として働く毛幹自体を通して、毛根に送達することができる。毛を通しての音波の伝搬は、毛の方向に沿った粒子の瞬時移動の結果であり、局所的圧縮および引張り応力の波が毛の長手軸と平行に伝搬することにつながる。
【０１０２】
ステップ１４は、毛の毛包、真皮乳頭、毛隆起および／または胚マトリックスに発生するように実行することが好ましい。熱はそれだけで、毛包、真皮乳頭、毛隆起および／または胚マトリックスを破壊するのに充分であることが好ましい。
【０１０３】
ＷＯ０１／２６７３５の挟持による音波の伝達は、毛包の組織を破壊または損傷するには不充分である。極めて対照的に、後述する実施例の部分でさらに実証する通り、本発明は毛根組織の損傷または破壊を引き起こすことに成功している。
【０１０４】
本書で使用する場合、破壊とは、少なくとも一時的に、好ましくは永久に毛の再成長を抑止する、毛包内の細胞（真皮乳頭、毛隆起、胚マトリックス等）の高熱、壊死、および／またはいずれかの他の損傷を指す。再成長の抑止は、長期間、例えば１ヶ月以上、好ましくは６ヶ月以上、より好ましくは１年以上、最も好ましくは永久的であることが望ましい。
【０１０５】
本発明の好適な実施形態では、発生した熱は結果的に少なくとも２０℃、より好ましくは少なくとも３０℃、最も好ましくは４０℃の温度上昇をもたらす。そのような熱はそれ自体、少なくとも一時的に、好ましくは永久に毛包、真皮乳頭、毛隆起および／または胚マトリックスを破壊または少なくとも損傷する。毛包に存在する軟組織の温度が充分な期間高レベルに達すると、「タンパク質変性」として知られる現象が発生し、組織の壊死を引き起こし得ることが理解される。
【０１０６】
毛を音波エネルギーの導波路として利用することにより、本発明の実施形態は、皮膚の色調、毛の色調、および皮膚の色調と毛の色調との間のコントラストのレベルを含むが、それらに限らず、処置対象者の幾つかの生理学的パラメータに対する感受性が最小限であり、かつ／または全く不感受性である。他のエネルギーの種類（例えば光、レーザ、電磁放射、高周波放射、Ｘ線放射）を使用する先行の脱毛技術は、そのような色調パラメータに対する感受性が顕著である。したがって、本発明の実施形態は、そのような他の脱毛技術と比較して著しく大規模の集団を処理するという利点を有する。限定することなく、本発明の実施形態は暗色調の皮膚の個人、非常に明色調の皮膚の個人、および毛のメラニンの量が最小限の個人に適している。
【０１０７】
本発明の実施形態は、真皮乳頭、毛隆起、および胚マトリックスの毛幹への近接性を利用する。特に、この近接性は毛の成長期段階に利用され、それにより毛幹を導波路として伝達される音波エネルギーが、毛包、真皮乳頭、毛隆起、および胚マトリックスで熱エネルギに変換される。毛基部内で一体化され、非常に小さい体積の真皮乳頭、毛隆起、および胚マトリックス（数百分の１立方ミクロン）を考慮すると、音波エネルギーの吸収の結果生じる急速な短時間の温度の上昇は、細胞の所望の破壊を引き起こすのに充分である、充分な熱的効果の発生を適時に高める。好ましくは、熱的効果の持続時間は充分に短いので、毛包または毛幹の周囲の他の生体軟組織の損傷を最小限にするか全く損傷せずに、毛包、胚マトリックス、毛隆起および／または真皮乳頭を選択的に破壊する。当業熟練者には理解されるように、短い持続時間および音波導波路としての毛幹の利用の組合せにより、毛幹および毛球の周囲の他の重要な組織および下位器官を実質的に損傷することなく、毛包内の細胞を選択的に損傷することが可能になる。
【０１０８】
音波のパラメータは、処置対象者および／または処置される身体器官を特徴付ける以下の生理学的パラメータ、すなわち毛の成長段階（成長期、中間期、または休止期）、皮膚の下の毛基部の深さ、毛基部と乳頭との間の距離、毛の全長（皮膚の下および上）、毛の結合角度、毛の色、毛の直径、非処理生体毛基部から非処理生体毛を脱離するのに要する力、部分的に処理された毛基部から毛を脱離するのに要する力、および完全に処理され実質的に破壊された毛基部から毛を脱離するのに要する力の１つ以上に応じて適応させることができる。
【０１０９】
ひとたび上述した細胞が破壊されると、該方法は任意選択的に、かつ好ましくはステップ１６に続き、そこで毛の脱離が達成されるように毛が引っ張られる。毛幹を毛包から脱離し、あるいはより好ましくは毛幹およびその内毛根鞘を毛包から脱離するように、引っ張ることが望ましい。
【０１１０】
本発明の好適な実施形態では、音波の伝達は、音波が毛の特定の部分に衝突し、その特定の部分と相互作用し、毛が音波導波路として働くように毛を伝搬するような仕方で行なわれる。本発明の様々な例示的実施形態で、音波と毛との間の音響結合は点状結合ではない。音響結合は予め定められた結合長ｈによって特徴付けられることが好ましく、それは例えば、音波が衝突する特定の部分の長さとすることができる。結合長は、例えば挟持ステップで定めることができ、それにより毛幹のより長い部分の挟持は、より長い結合長に対応する。
【０１１１】
通常の当業熟練者には理解されるように、結合長は、毛幹に（音波の形で）受け渡されるエネルギーの量に相関する。毛包の組織における温度上昇は結合長に直接的に依存することが、本発明の発明者らによって明らかになった（後述する実施例の部分の図１０を参照）。
【０１１２】
したがって、集束超音波ビームが実質的に点に向けられる先行技術と極めて対照的に（例えば国際特許出願第ＷＯ００／２１６１２号および第ＷＯ０２／０９８１３号参照）、本発明の実施形態は非点状結合を利用する。
【０１１３】
したがって、本発明の好適な実施形態では、結合長ｈは、発生する熱が２０〜４０℃の温度上昇をもたらすように選択され、それは約１ｍｍより高く、より好ましくは約２ｍｍより高い結合長によって達成されることが望ましい。本発明の様々な例示的実施形態では、結合長は６ｍｍ未満である。結合長の典型値は約５ｍｍである。
【０１１４】
本書で使用する場合、用語「約」は±１０％を指す。
【０１１５】
音波が物質と相互作用するときに、波によって運ばれるエネルギーは物質によって吸収されるか、物質から反射されるか、または物質中を伝達されることができる。波を伝達する導波路の能力は一般的に、吸収または反射されることなく導波路中を正常に伝達されるエネルギーの割合に相当する伝達率によって特徴付けられる。毛の処理は基本的に、毛幹に音波を誘導させることによって行なわれるので、治療の効率は毛幹の伝達率に依存し、大きい伝達率は、毛幹を介する毛包内の細胞へのエネルギー伝達のよりよい効率に相当する。
【０１１６】
音波が物体（本例では毛幹）と相互作用するとき、物体は、音波の周波数および物体の固有周波数に依存する振幅で、振動し始めることが知られている（物体の固有周波数は、物質の構造、幾何形状等をはじめ、物体の多くのパラメータに依存する）。音波は、物体に作用しかつ物体の環境へのエネルギー損失を補う時間依存外力として働く。音波との相互作用に対する物体の応答は一般的に、物体の振動振幅を周波数の関数として表わすグラフである周波数応答曲線を使用して記載される。音波の周波数が物体の固有周波数と等しい特定の場合、共振と呼ばれる。一般的に、共振時に、応答曲線は共振周波数付近に明瞭なピークを有する。
【０１１７】
本発明の発明者らにより、毛幹の縦方向振動が毛包にエネルギーを伝達する毛の能力を著しく低下させることが明らかになった。毛の縦方向振動は、毛の強度を弱める以外に、毛に沿った圧縮および引張り応力を減衰させ、その結果、その伝達能力を低減させる。縦方向振動の振幅が極めて大きい場合（例えば共振周波数またはそれに近い振動の場合のように）、毛幹は崩壊して、エネルギーを毛包に伝達させるその能力を完全に喪失することがある。
【０１１８】
さらに、毛幹の大きすぎる縦方向振動は横方向振動の発生を導くことがある。縦方向振動に比較して振幅が小さいが、毛幹の横方向振動は、エネルギーが毛根に到達する前に毛幹の周囲の組織へのエネルギーの損失を助長するので、非常に問題があることが認識されている。そのようなエネルギー損失の副産物は、エネルギーが熱の形で毛幹の周囲の組織に排出されることである。
【０１１９】
したがって、本発明の好適な実施形態では、音波の周波数、出力密度、および／または持続時間は、毛の振動を最小化するように選択される。そのような最小化は、縦方向（長手方向）および／または横方向振動の最小化を含むことができる。上記音波パラメータは、縦方向振動を最小化するように選択されることが好ましい。縦方向振動は、横方向振動が本質的に低減されるように最小化されることが最も好ましい。この実施形態は、毛幹で大きい縦方向振動を発生させるのが一般的傾向である先行技術とは、極めて対照的である（少なくとも数十ミクロンの振動が使用される、例えば国際特許出願第ＷＯ０１／１３７５７号および第ＷＯ０１／０３３９９１号を参照）。
【０１２０】
毛の縦方向振動の特性振幅は１０μｍ未満であることが好ましく、５μｍ未満であることがより好ましく、１μｍ未満であることが最も好ましい。小さい縦方向振動は、オフレゾナンス周波数を音波に選択することによって達成することができる。
【０１２１】
低い超音波周波数では毛幹によるエネルギー吸収が極めて弱く、毛幹および毛包の周囲の大量の組織の過熱および損傷を引き起こすことなく、毛包の効果的な加熱を達成することはできないことが、本発明の発明者らによって明らかになった。他方、高い超音波周波数では、毛幹によるエネルギー吸収のレベルが高く、毛幹の過熱を導くので、毛幹が損傷、破壊、および／または切断され、エネルギーの毛包への効果的な伝達を持続することができない。
【０１２２】
上記の背景の部分で述べた通り、幾つかの先行技術の文書（例えば国際特許第ＷＯ０１／１３７５７号、第ＷＯ０１／０３３９９１号、および第ＷＯ００／２１６１２号を参照）は、低吸収のため毛包の加熱効率のレベルが不充分になる低い周波数および過剰吸収のため毛包の伝達効率のレベルが不充分になる高い周波数の両方を必然的に含む、極めて幅広い周波数範囲（３〜４桁の大きさ）を記載している。本発明の好適な実施形態では、周波数は、毛包への音波の最適な伝達および毛包によるエネルギーの吸収を可能にするように選択される。本発明の好適な実施形態では、周波数は少なくとも１５０ｋＨｚであり、より好ましくは少なくとも５００ｋＨｚである。典型的な周波数範囲は、限定することなく、約１５０ｋＨｚないし約１３００ｋＨｚ、および約５００ｋＨｚないし約１０００ｋＨｚを含む。毛幹が強化用化学添加物によって補強される場合、周波数は１３００ｋＨｚより大きくすることができる。
【０１２３】
本発明の様々な例示的実施形態では、音波の伝達の持続時間は５秒未満であり、他の好適な実施形態では、持続時間は１秒未満、例えば約１０〜１００ミリ秒とすることができる。述べた通り、毛包の軟組織に発生する熱は結果的に、上記の損傷または破壊を引き起こすのに充分な温度の上昇をもたらす。後述する実施例の部分でさらに説明する通り、毛球における数ミリワットの出力の吸収で、温度を所望のレベルまで上昇させることができる。したがって、本発明の様々な例示的実施形態で、音波は、毛球で吸収される出力が少なくとも１ミリワット、義務ではないが好ましくは約１０ミリワット未満となるように選択された出力密度で生成される。本発明の様々な例示的実施形態では、毛球における所望の吸収出力は、１平方センチメートル当たり約１ワットから１平方センチメート当たり約１００ワットまで、例えば１平方センチメートル当たり数ワットの出力密度で動作する音波トランスデューサを使用して達成される。
【０１２４】
ここで、図２を参照すると、それは例えば上記方法ステップの１つまたはそれ以上を実行することによって望ましくない毛を処理するために使用できる装置２０の略図である。装置２０は、音波を生成するためのトランスデューサ２２と、音波を集束して毛に伝達させるための波コンデンサ２４とを含むことが好ましい。音波は皮膚表面３０を過ぎて毛幹２８内を伝播し、組織の損傷および／またはその破壊を招くように毛包３１、真皮乳頭３２、毛隆起３５および／または胚マトリックス３３で充分な量の熱を発生させる。
【０１２５】
トランスデューサ２２は、圧電セラミック素子または圧電複合素子とすることのできる能動素子２３を含むことが好ましい。能動素子は平面状または非平面状（例えば凹面状）、単一素子、または適切な平面状または非平面状表面における複数の素子の配列とすることができる。トランスデューサ２２の裏面（図２で数字２１により指定される）は、超音波エネルギーの損失を最小化するように、空気に露出させることが好ましい。超音波エネルギーに相当する部分が空気‐圧電材界面から圧電素子に反射する。代替的に、裏面２１は、空気のそれと同様の境界特性を提供する例えばポリスチレンのような高分子発泡体を用いて密封することができる。
【０１２６】
本発明の好適な実施形態では、波コンデンサ２４は、毛と音波との間の上述した音響結合を確立するように設計および構成される。波コンデンサ２４は、所望の音響結合を確立するように毛を挟持することが好ましい。波コンデンサ２４の異なる挟持深さを可能にすることにより、異なる結合長を確立することができる。
【０１２７】
結合長に依存する以外に、音響結合は、例えば波コンデンサ２４に入るときの音波の主伝搬方向に対する毛幹の向きにも依存する。波コンデンサ２４に入るときの音波の伝搬方向が毛幹の長手軸とほぼ平行であるときに、毛を通してのエネルギーの効果的な伝搬を達成することができることが、本発明の発明者らによって明らかになった。この実施形態を以下で「平行配向実施形態」と呼ぶ。
【０１２８】
毛幹の他の非平行配向も考えられる。例えば本発明の別の好適な実施形態では波コンデンサ２４に入る時の音波の伝搬方向は、毛幹の長手軸にほぼ直角である。この実施形態を以下で「直角配向実施形態」と呼ぶ。
【０１２９】
本発明の追加の実施形態では、波コンデンサ２４に入るときの音波の伝搬方向は、毛幹の長手軸に対して０°または９０°以外の予め定められた角度を取る。この実施形態を以下で「傾斜配向実施形態」と呼ぶ。通常の当業熟練者には理解される通り、傾斜配向実施形態は、平行および直角配向実施形態間の線形組合せである。傾斜角度の代表例は、限定することなく、約１０°、２０°、３０°、４０°、５０°、６０°、７０°、および８０°を含む。
【０１３０】
本発明の様々な例示的実施形態では、波コンデンサ２４の形状は、所望の配向実施形態に従って選択される。しかし、波コンデンサ２４の所定の設計は、装置２０の使用を必ずしも特定の実施形態に限定しない。例えば波コンデンサ２４が平行配向実施形態用に設計および構成される場合、毛幹は波コンデンサ２４に、またはそれに近接して任意の向きに（平行、直角、傾斜）配置することができる。同様に、波コンデンサ２４が直角配向実施形態用に設計および構成されるときに、毛幹の任意の向きを使用することができる。
【０１３１】
図３ａ〜ｂは、好ましくは、平行配向実施形態で使用される波コンデンサ２４の特定の構成の略図である。コンデンサ２４は、毛幹２８を受容するチャンバ３４を含むことが好ましい。チャンバ３４は、インピーダンス整合および音響結合の増強のために超音波伝道用ゲルを充填することができる。トランスデューサ２２（図３には図示せず）によって生成される音波はチャンバ３４の表面３６の内側から反射され、波によって運ばれるエネルギーは、したがってチャンバ３４内に閉じ込められる。毛幹２８はチャンバ３４内に導入されて、音波と毛幹２８との間の結合長ｈを形成する（述べた通り、数ミリメートル）。表面３６から前後に跳動しながら、音波は複数の方向から、より好ましくは実質的に全放射方向（３６０°）から、毛幹２８に伝達される。したがって、コンデンサ２４は、音波が毛の単一の点に集束するのではなく、毛の一部分を包封することを可能にする。通常の当業熟練者には理解されるように、そのような構成は毛と音波との間の音響結合を促進する。
【０１３２】
表面３６は、音波の反射および毛幹２８との音響結合を可能にする任意の形状を持つことができる。表面３６は好ましくは約１ｍｍないし約１０ｍｍ、より好ましくは約２ｍｍから約５ｍｍの間の特性曲率半径を持つ非平面である。表面形状の代表例は、限定することなく、球面、円筒面、楕円面、放物面、双曲面、およびそれらの任意の組合せまたはそれらの一部分を含む。図３ａ〜ｂに示した例示的実施形態では、表面３６は半球状ヘッドを持つ円筒面を含む。
【０１３３】
波コンデンサ２４が毛幹２８を挟持または捕捉することを可能にすると考えられる、２つ以上の構成がある。図３ａに示した１実施形態では、毛幹２８は穴４０からチャンバ３４内に導入される。図３ｂに示した別の実施形態では、チャンバ３４は瞬間的に、例えば軸４２を中心に２つの部分（図３ｂ中、３４ａおよび３４ｂで指定された）に分割されて間隙４４を画定し、間隙４４に毛幹２８を捕捉し、毛幹２８上で再組立される。トランスデューサ２２がコンデンサ２４に付着される場合、トランスデューサ２２およびコンデンサ２４の両方が分割され、一緒に再組立されることが好ましい（例えば図４ａ〜ｂおよび下記の関連説明を参照）。部分３４ａおよび３４ｂは、軸４２を中心とするそれらの回転運動によって、またはいずれかの他の運動、例えば軸４２に対して直角、平行、または他のいずれかの方向の直線運動によって分離することができる。例えば、代替的であるが好適な実施形態では、部分３４ａを部分３４ｂから完全に切り離して、毛幹２８を間隙４４に挿入することを可能にする。さらに別の好適な実施形態では、部分３４ａおよび３４ｂは相互に相手に対して摺動し、それらの間に毛幹２８を捕捉する。部分３４ａおよび３４ｂは、義務ではないが好ましくは、相互に対称である（例えば円筒の２つの半体）。
【０１３４】
上記構成のいずれにおいても、チャンバまたはその２つの部分は部分的に中空とし、超音波ゲルを充填することができる。チャンバまたはその２つの部分は、例えば金属（例えばアルミニウム）、ポリマー（例えばＲＴＶと略される室温加硫ゴム）、またはそれらの組合せのような任意の適切な物質から形成することができるが、それらに限定されない。チャンバが超音波ゲルを包含するか否かに関係なく、波コンデンサ部分と毛幹との間の音響接触は、トランスデューサを起動する前に、超音波ゲルを毛幹に、または毛幹と接触する波コンデンサに塗布することによって、さらに改善することができる。
【０１３５】
本発明の好適な実施形態では、波コンデンサ２４内の毛幹２８の位置はその対称軸に沿うか、あるいはそれに近接する（図３ａ〜ｂで４１と指定される）。この実施形態の利点は、音波の強め合う干渉が対称軸に沿ったエネルギーの密度をチャンバ３４内の他の位置より著しく大きくするので、対称軸に沿った毛の配置が毛幹へのエネルギーの伝達を増強することである。非軸対称形状のチャンバ３４の場合、毛幹の好適な位置は、チャンバ３４の中心近くである。
【０１３６】
ここで、再び図２を参照すると、装置２０は、トランスデューサ２２と波コンデンサ２４との間を結合する集束素子２６を含むことが好ましい。集束素子２６は、音波のビームを波コンデンサ２４内に位置する空間の領域に向かって集束させることによって、音波を集束させる。集束素子２６は、トランスデューサ２２および素子２６から音波がよく伝達されるように、トランスデューサ２２に付着されることが好ましい。これは、当業界で公知の接着剤を用いて達成することができる。
【０１３７】
毛幹がコンデンサ２４の瞬間的分割によって捕捉される実施形態では（図３ｂ参照）、集束素子２６および／またはトランスデューサ２２は、コンデンサ２４と一緒に分割されることが好ましい（例えば図４ａ〜ｂおよび下記の関連説明を参照）。ひとたび毛幹２８の長さｈが間隙４４に入ると、分割部分が再組立され、毛幹２８がチャンバ３４内部に挟持されている間にトランスデューサ２２が起動されて音波が発生される。集束素子２６によって集束された音波はコンデンサ２４に入り、毛幹２８と結合され、好ましくは最小限の縦方向（および横方向）振動で、毛幹２８内を毛包３１に向かって伝搬する。毛包３１の軟組織細胞（真皮乳頭３２、毛隆起３５および／または胚マトリックス３３）に到達すると、局所的圧縮および引張り応力の形で波によって運ばれるエネルギーは熱エネルギに変換され、温度の上昇および細胞の損傷および／または破壊の形成を導く。
【０１３８】
ここで、図４ａ〜ｂを参照すると、それは直角配向実施形態で使用されることが好ましい特定の構成の装置２０の略図である。この実施形態では、トランスデューサ２２は、上で詳述したとおり、平面状または非平面状の１つ以上の能動素子（それぞれ２３ａおよび２３ｂと示された）を各々有する第１部分２２ａおよび第２部分２２ｂを含む。集束素子２６もまた第１部分２６ａおよび第２部分２６ｂを含み、集束素子２６の第１部分２６ａおよび第２部分２６ｂはそれぞれ、トランスデューサ２２の第１部分２２ａおよび第２部分２２ｂを、波コンデンサ２４のチャンバ３４の第１部分３４ａおよび第２部分３４ｂと結合させる。トランスデューサ２２、素子２６、およびコンデンサ２４の第１部分間の結合は、図４ｂに等角図で示される。
【０１３９】
ひとたび毛幹２８が部分３４ａと３４ｂとの間に挟持されると、トランスデューサ２２が起動され、音波の波面５４が能動素子２３から、集束素子２６の形状によって画定される長手軸５６とほぼ平行に伝搬し始める。集束素子２６は、例えば対称軸４１とすることのできる軸５８とほぼ平行に波面５４がコンデンサ２４内を伝搬するように、音波をコンデンサ２４に集束させる。本発明の現在の好適な実施形態では、軸５８は軸５６および毛幹２８に対しほぼ直角である。希望するならば、傾斜配向実施形態を使用することができ、その場合、軸５８は軸５６に対し予め定められた角度だけ傾斜する。
【０１４０】
集束素子２６は、広幅の断面積Ｄおよび狭幅の断面積ｄを特徴とするテーパ状ハウジングを含むことが好ましい。ハウジングの高さは、音波の波長の半整数（例えば波長の２分の１）に等しいことが好ましい。音波エネルギー集中器は円筒状に対称的である必要はないことを理解されたい。集束素子２６は、音波を反射することのできる任意の材料から形成することができる。適切な材料の代表例は、限定することなく、金属（例えばアルミニウム）および超音波装置で一般的に使用されるポリマー（例えばポリウレタン）を含む。
【０１４１】
集束素子２６の広幅の断面積Ｄは、好ましくは約１ｍｍから約２０ｍｍ、より好ましくは約４ｍｍから約８ｍｍである。狭幅の断面積ｄは、好ましくは約０．５ｍｍから約５ｍｍ、より好ましくは約１ｍｍから約３ｍｍである。テーパ状ハウジングのプロファイルは、好ましくは指数関数的形状に従って、音波エネルギーを最小限のエネルギー損失で小さい体積に効果的に集中させる１つ以上の特性角を持つことができる。
【０１４２】
図５ａ〜ｄは、本発明の様々な例示的実施形態に係る集束素子２６のテーパ状ハウジングの様々な可能な形状の略図である。したがって、テーパ状ハウジングは、広幅の円筒部分および狭幅の円筒部分を有する段付きプロファイル（図５ａ）を持つことができる。各部分の高さは、音波の波長の約４分の１であることが好ましい。この実施形態では、拡大率は比例Ｄ／ｄによって与えられる。
【０１４３】
図５ｄに示された別の実施形態では、テーパ状ハウジングは直線状プロファイル（例えば円錐台）を持つ。
【０１４４】
図５ｃに示されたさらなる実施形態では、ハウジングは指数関数的プロファイルを持つ。そのような設計は、直線状プロファイルに比較してより高い拡大率をもたらす。その形状は製造を難しくするが、その長さは作業端の小径とあいまって、この設計を微小な用途に特に適したものにする。
【０１４５】
図５ｄに示された別の実施形態では、テーパ状ハウジングは、複数の直線状セグメントを有するセグメント化直線状プロファイルを持つ。例えば、この実施形態では、ハウジングは、各々がより小さい開角を有する複数の円錐台から形成することができる。開角は、指数関数的プロファイルを近似するように選択することができる。
【０１４６】
図６ａ〜ｂは、好適な実施形態におけるトランスデューサ２２および集束素子２６の略図であり、集束素子２６はテーパ状ハウジングを有する。図６ａ〜ｂの図は直線状プロファイルに向けられているが、他のプロファイルが本発明の範囲から排除されるわけではないことを理解されたい。したがって、本発明の現在の好適な実施形態では、トランスデューサ２２の能動素子２３は球形の形状を有する。音波は能動素子２３によって発生し、集束素子２６に入り、それは音波を集束させ、コンデンサ２４（図６ｅ〜ｂには図示せず）内に小さい体積の５０の最大限のエネルギー密度を発生させる。図６ｂは、トランスデューサ２２が図６ｂで数字２３−ｉ（ｉ＝１、２、．．．ｎ）により指定されたｎ個の能動素子を含む、好適な実施形態の略図である。この実施形態では、装置２０は、各個別能動素子がそれぞれの個別集束素子に接続され、よって全ての集束素子が好ましくは波を体積５０に集束させるように、ｎ個の集束素子２６−ｉ（ｉ＝１、２、．．．ｎ）を含むことが好ましい。
【０１４７】
ここで、再び図２を参照すると、本発明の様々な例示的実施形態では、装置２０は、波コンデンサ２４ならびに任意選択的にかつ好ましくは集束素子２６および／またはトランスデューサ２２の毛に対する運動をもたらすための駆動機構４８を含む。駆動機構４８は例えば毛幹２８を挟持するために利用することができる。
【０１４８】
駆動機構４８は、所望の運動をもたらすことのできるいずれかの公知の機構とすることができる。一般的に、しかし義務ではなく、駆動機構４８は電気モータ４７および適切な伝動機４９を利用する。駆動機構４８は２種類以上の運動をもたらすことができる。例えば、本発明の様々な例示的実施形態では、駆動機構４８は、上に詳述した通りコンデンサ２４、集束素子２６、および／またはトランスデューサ２２を周期的に分割しかつ再組立するように回転運動をもたらす。代替的に、または追加的に、駆動機構４８は、皮膚に沿って往復直線運動をコンデンサ２４にもたらし、それによって２本以上の毛に、かつ各毛に２回以上、処置を繰り返すことができる。
【０１４９】
ここで、図７ａ〜ｃを参照すると、それらは本発明の追加の実施形態に係る装置２０の略図である。装置２０は、毛を捕捉するための毛捕捉器５２を含むことが好ましい。多くの型の毛捕捉器、使い捨て型のみならず再使用可能型が想起される。典型的な毛捕捉器は、脱毛装置で利用されているもの、例えばブラシ（図７ａ）、ネット（図７ｂ）、およびクランプ（図７ｃ）である。他の型の毛捕捉器のみならず、２つ以上の型の組合せも想起される。加えて、図７ｃの代表例に示されるように、コンデンサ２４は毛捕捉器として働くことができる。いずれの場合も、毛捕捉器５２は、上で詳述した通り毛捕捉器５２に回転および／または往復直線運動をもたらす駆動機構４８（図７ａ〜ｃには図示せず）によって起動されることが好ましい。
【０１５０】
図７ａ〜ｃに示された実施形態では、トランスデューサ２２は円筒形カットの形状を有し、そこで能動素子は凹形であり、したがって音波をコンデンサ２４に集束させることが可能である。本発明の現在の好適な実施形態では、コンデンサ２４は円筒形の一部分（例えば約半分）の形状を持つ。毛幹がトランスデューサ２２の焦点面の下で毛捕捉器５２によって挟持されている間、音波はトランスデューサ２２の凹面と円筒形の対称軸との間で前後に跳動する。捕捉器５２と毛幹との間の音響接触を増強するために、毛捕捉器５２は捕捉中に毛幹に超音波伝導用ゲルを塗ることが好ましい。超音波伝導用ゲルは部分的にまたは完全に接着剤とすることができる。捕捉器５２は溝および／または穴を組み込むことができ、そこから超音波伝導用ゲルまたはいずれかの他の化合物を毛幹表面に向かって押し込むことができる。ゲルの存在は接触領域をも拡大させ、それによって毛への音響パワーの伝達が改善される。上に詳述した通り、捕捉器５２は、細胞の破壊後に毛を引張るためにも使用することができる。
【０１５１】
この特許の存続期間中に、音波を発生、集束、および集中させるための多くの関連機器が開発されることが予想され、トランスデューサ、コンデンサ、および集束素子の用語の範囲は先験的に、そのような新しい技術を全て含むつもりである。
【０１５２】
本発明の追加の目的、利点及び新規な特徴は、下記実施例を考察すれば、当業技術者には明らかになるであろう。なおこれら実施例は本発明を限定するものではない。さらに、先に詳述されかつ本願の特許請求の範囲の項に特許請求されている本発明の各種実施態様と側面は各々、下記実施例の実験によって支持されている。
【実施例】
【０１５３】
上記説明とともに、以下の実施例を参照して本発明を例示する。なお、これら実施例によって本発明は限定されない。
【０１５４】
計算モデル
図８は、３つのよく区別される領域、（ｉ）皮膚表面の上および下の毛幹、（ｉｉ）真皮乳頭および胚マトリックスを含む毛球、および（ｉｉｉ）毛包の一部であり、皮膚表面と毛球との間で毛幹付近に位置する毛隆起を含む、毛の幾何形状の簡易モデルの略図である。毛幹は実質的に平滑な延長構造を持ち、明確に区別される音響インピーダンスを有する空気または軟組織内に位置する。毛幹は、頂端から毛隆起および毛球への入口点まで音波エネルギーを誘導するための優れたシステムを呈する。
【０１５５】
毛球および毛隆起の幾何形状は、毛幹の幾何形状とはかなり異なる。異なる音響インピーダンス値を有する複数の湾曲セグメントは、音波の複数回の反射のための理想的な構造を呈する。毛球および毛隆起物質の高い吸収度（約１ＭＨｚの周波数時に約１ｄＢ／ｍｍ）は結果的に、毛球および毛隆起領域における強い局所的エネルギー放出および過渡的温度上昇を引き起こす。
【０１５６】
本発明の発明者らによって実行された計算は、毛球および毛隆起の温度を通常体温から約１０〜１００ミリ秒内に約７０℃にするために、１０ミリワット未満の割合で超音波の吸収が必要であることを示している。約１ＭＨｚ時の毛球および毛隆起における超音波吸収は、それに伝達された超音波エネルギーの約１０〜２０％であると推定され、エネルギーの残部は周囲の組織に伝達される。したがって毛球および毛隆起に投入する必要のある所要超音波出力は、約５０〜１００ミリワット未満である。
【０１５７】
長さ５ｍｍの毛幹（波コンデンサ２４の先端から毛球まで）は、約１ＭＨｚの周波数で約１ｄＢ／ｍｍを吸収する。したがって、約１５０〜３００ミリワット未満の超音波出力を毛幹に約１０〜１００ミリ秒間注入すると、毛球および毛隆起を約７０℃の温度にすることができる。述べた通り、そのような温度は毛包の細胞を破壊することができる。１５０〜３００ミリワットの出力レベルは大きさとしては小さいが、密度としてはやや大きい。特に、毛幹の断面積は約０．００００８ｃｍ２であるので、１５０〜３００ミリワットの出力レベルは約２０００〜４０００ワット／ｃｍ２の出力密度に相当する。
【０１５８】
述べた通り、波コンデンサは一般的に、毛幹の数ミリメートル（ｈ≒２ｍｍからｈ≒５ｍｍまで）を挟持し、数十分の１平方ミリメートルないし数平方ミリメートル（ｈ≒２ｍｍの場合０．００６ｃｍ２、ｈ≒５ｍｍの場合０．０１６ｃｍ２）の総面積に対応する。毛幹と音波との間の音響結合によって、結合長ｈに沿った毛幹の総面積を、音響エネルギーの捕集のために利用することができる。したがって、波コンデンサ、および約１０ワット／ｃｍ２ないし約５５ワット／ｃｍ２の出力密度を発生する超音波トランスデューサを使用して、毛幹内で２０００〜４０００ワット／ｃｍ２の出力密度を捕集することができる。
【０１５９】
毛幹の縦方向振動の振幅ε（毛幹に沿った粒子の縦方向変位）は、次式によって算出することができる。
2007522904.tif 000003
ここで、Ｉは超音波密度であり、Ｚは振動素子の音響インピーダンスであり、ｆは超音波周波数である。
【０１６０】
４０００ワット／ｃｍ２（４×１０７ワット／ｍ２）の密度Ｉ、８００ｋＨｚの周波数、および３．２４×１０６ｋｇ／ｍ２の毛幹の音響インピーダンスの場合、上記方程式１に従って、波コンデンサ付近の毛幹の振動振幅εは０．９９μｍである。毛球に向かって毛幹に沿ったいずれかの他の地点、および毛球および毛隆起において、εは１μｍよりずっと低い。例えば毛球の遠端における超音波強度は、この地点における振動振幅は約０．４４μｍであるので、波コンデンサからの毛幹出口におけるそれより約５倍小さいと推定される。この振幅は、毛の機械的脱毛を引き起こすには小さすぎる。
【０１６１】
上記説明では多少高めの出力密度値が使用されたことに注意されたい。より低い密度値では、より小さい振動振幅が得られる。振動振幅は超音波周波数に反比例する。本発明の発明者らによって行なわれた実験は、同一動作条件下（Ｉ＝４０００ワット／ｃｍ２およびＺ＝３．２４×１０６ｋｇ／ｍ２ｓ）で、２５０ｋＨｚの超音波周波数では、毛球の温度は４０℃を超えないことを示した。高熱または他の熱損傷の境界線効果は、この低周波数レベルで発生すると予想される。しかし、この周波数限界値でも、毛球の遠端における振動振幅はわずか１．４μｍと計算され、それは毛の機械的脱毛を引き起こすには小さすぎる。
【０１６２】
超音波による毛幹の照射
実験１
本発明の好適な実施形態に従ってプロトタイプの波コンデンサを作成した。波コンデンサに穴を形成し、そこに超音波伝導用ゲルを充填した。波コンデンサの直径は８ｍｍであり、穴の寸法は直径が１ｍｍ、長さが５ｍｍであった。
【０１６３】
数本の人毛の毛幹をコンデンサに導入した。中間集束素子無しで、超音波トランスデューサをコンデンサ上に直接組み立てた。超音波トランスデューサを、１００５ｋＨｚの周波数およびその表面で約５．２ワット／ｃｍ２の出力密度で約０．１秒間作動させた。
【０１６４】
図９は、処理された毛幹の赤外線画像である。図９には波コンデンサの画像も示されている。図９に示す通り、音波は毛幹を加熱することに成功し、毛幹の遠端の温点が１４２℃の温度を達成した。
【０１６５】
実験２
実験１の波コンデンサに４本の人毛の毛幹を導入した。各毛幹に対し、波コンデンサへの毛幹の異なる挿入深さによって異なる結合長ｈを画定した。次の結合長、すなわちｈ＝２ｍｍ、ｈ＝４ｍｍ、ｈ＝６ｍｍ、およびｈ＝８ｍｍについて調査した。超音波周波数は８１７ｋＨｚであり、超音波トランスデューサの表面における出力密度は２つの値、すなわち低密度の約１．２ワット／ｃｍ２および高密度の約２．５ワット／ｃｍ２に設定した。
【０１６６】
図１０は、結合長の関数としての毛幹の温度を示すグラフである。図１０に示す通り、ｈと共に毛幹温度がほぼ直線的に増加することが観察された。より大きい値の結合長は毛幹への波のより高レベルの浸透に対応し、よって毛幹内のより大きい超音波エネルギーの伝搬に対応するので、この結果は上記モデルと一致する。
【０１６７】
実験３
毛包付きの人毛の毛幹を、波コンデンサとして働く直径６ｍｍの円形ゲル球内に生体外で挿入した。毛球が空気中に突出する状態で、ゲル球を集束素子なしで超音波トランスデューサの上に直接配置した。毛球の周囲の皮膚組織をシミュレートするために、突出する毛球に数ミリメートルのゲルを塗布した。超音波トランスデューサを周波数１００５ｋＨｚで作動させ、その表面に約３ワット／ｃｍ２を発生させた。処置の持続時間は０．１秒であった。
【０１６８】
図１１は、処理された毛幹の赤外線画像である。図１１に示されているのは、超音波によって約６２℃に加熱された波コンデンサとゲル球との間の毛幹の２ｍｍのセクションである。
【０１６９】
図１２ａ〜ｃは、超音波による処理前（図１２ａ）および処理後（図１２ｂ〜ｃ）の毛球を比較する光学顕微鏡画像である。図１２ｂ〜ｃに示す通り、超音波コンデンサによって集束され、毛幹を通して伝達される超音波のエネルギーは、濃厚なゲル球内に位置する毛球によって吸収された。エネルギーの吸収は温度の上昇をもたらし、それに続いて毛球は完全に損傷された。
【０１７０】
明確にするため別個の実施態様で説明されている本発明の特定の特徴は単一の実施態様に組み合わせて提供することもできることは分かるであろう。逆に、簡潔にするため単一の実施態様で説明されている本発明の各種の特徴は別個にまたは適切なサブコンビネーションで提供することもできる。
【０１７１】
本発明はその特定の実施態様によって説明してきたが、多くの別法、変更及び変形があることは当業者には明らかであることは明白である。従って、本発明は、本願の請求項の精神と広い範囲の中に入るこのような別法、変更及び変形すべてを包含するものである。本願で挙げた刊行物、特許及び特許願はすべて、個々の刊行物、特許及び特許願が各々あたかも具体的にかつ個々に引用提示されているのと同程度に、全体を本明細書に援用するものである。さらに、本願で引用又は確認したことは本発明の先行技術として利用できるという自白とみなすべきではない。
【図面の簡単な説明】
【０１７２】
【図１】本発明の様々な例示的実施形態に従って、望ましくない毛を処理するための方法のフローチャートである。
【図２】本発明の様々な例示的実施形態に従って、望ましくない毛を処理するための装置の略図である。
【図３】波コンデンサに入るときの音波の伝搬方向が毛の長手軸とほぼ平行である、好適な実施形態の波コンデンサの略図である。
【図４】波コンデンサに入るときの音波の伝搬方向が毛の長手軸に対しほぼ直角である、望ましくない毛を処理するための装置の略図である。
【図５】本発明の様々な例示的実施形態に係る集束素子のテーパ状ハウジングの可能な様々な形状の略図である。
【図６】本発明の例示的実施形態に係る音波トランスデューサおよび集束素子の略図である。
【図７】本発明の様々な例示的実施形態に係る、毛捕捉器を含む望ましくない毛を処理するための装置の略図である。
【図８】本発明の様々な例示的実施形態に係る、毛の形状の簡易モデルの図である。
【図９】本発明の様々な例示的実施形態に従って超音波によって処理された毛幹の赤外線画像である。
【図１０】結合長の関数としての毛幹の温度を示す。
【図１１】本発明の様々な例示的実施形態に従って超音波によって処理された毛幹および毛球の赤外線画像である。
【図１２】超音波による処理前（図１２ａ）および処理後（図１２ｂ〜ｃ）の毛球を比較した光学顕微鏡画像である。
【図１】
2007522904.tif 000004
【図２】
2007522904.tif 000005
【図３】
2007522904.tif 000006
【図４】
2007522904.tif 000007
【図５】
2007522904.tif 000008
【図６】
2007522904.tif 000009
【図７】
2007522904.tif 000010
【図８】
2007522904.tif 000011
【図１０】
2007522904.tif 000012
【図９】
2007522904.tif 000013
【図１１】
2007522904.tif 000014
【図１２】
2007522904.tif 000015
【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
望ましくない毛を処理する方法であって、前記方法は、毛の毛包、真皮乳頭、毛隆起、および／または胚マトリックスに熱を発生させるように、毛に音波を伝達させることを含み、前記熱はそれ自体、前記毛包、前記真皮乳頭、前記毛隆起、および／または前記胚マトリックスを損傷または破壊するのに充分である方法。
【請求項２】
前記音波を毛に伝達させる前に、前記音波を集束させるために波コンデンサを使用することをさらに含む請求項１に記載の方法。
【請求項３】
前記音波の伝達前に、前記音波と毛との間の音響結合が増強されるように毛を挟持することをさらに含む請求項１に記載の方法。
【請求項４】
前記挟持は、前記音波の伝搬方向が、前記波コンデンサに入るときに毛の長手軸とほぼ平行になるように、毛および／または前記波コンデンサを配置することを含む請求項３に記載の方法。
【請求項５】
前記挟持は、前記音波の伝搬方向が、前記波コンデンサに入るときに毛の長手軸にほぼ直角になるように、毛および／または前記波コンデンサを配置することを含む請求項３に記載の方法。
【請求項６】
前記挟持は、前記音波の伝搬方向が、前記波コンデンサに入るときに毛の長手軸に対しほぼ傾斜するように、毛および／または前記波コンデンサを配置することを含む請求項３に記載の方法。
【請求項７】
毛の脱離が達成されるように毛を引っ張ることをさらに含む請求項３に記載の方法。
【請求項８】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項３に記載の方法。
【請求項９】
前記結合長は約１ｍｍより長い請求項８に記載の方法。
【請求項１０】
前記結合長は約６ｍｍより短い請求項８に記載の方法。
【請求項１１】
前記熱の前記発生は、前記毛包、前記真皮乳頭、前記毛隆起、および／または前記胚マトリックスにおける熱が結果的に少なくとも２０℃の温度上昇を引き起こす請求項１に記載の方法。
【請求項１２】
前記音波の周波数、出力密度、および伝達の持続時間の少なくとも一つが、毛の振動を最小化するように選択される請求項１に記載の方法。
【請求項１３】
前記毛の振動は毛の長手方向振動を含む請求項１２に記載の方法。
【請求項１４】
前記音波の前記周波数、前記出力密度、および／または前記伝達の持続時間を、毛の前記長手方向振動の固有振幅が１０マイクロメートル未満となるように選択する請求項１３に記載の方法。
【請求項１５】
前記音波の前記周波数、前記出力密度、および／または前記伝達の持続時間を、毛の前記長手方向振動の固有振幅が５マイクロメートル未満となるように選択する請求項１３に記載の方法。
【請求項１６】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１に記載の方法。
【請求項１７】
前記周波数はオフレゾナンス周波数である請求項１６に記載の方法。
【請求項１８】
前記音波は超音波を含む請求項１６に記載の方法。
【請求項１９】
前記超音波は少なくとも１５０ｋＨｚの周波数である請求項１８に記載の方法。
【請求項２０】
前記超音波は少なくとも５００ｋＨｚの周波数である請求項１８に記載の方法。
【請求項２１】
前記超音波は約１５０ｋＨｚから約１３００ｋＨｚまでの範囲の周波数である請求項１８に記載の方法。
【請求項２２】
前記超音波は約５００ｋＨｚから約１０００ｋＨｚまでの範囲の周波数である請求項１８に記載の方法。
【請求項２３】
前記音波の伝達の持続時間は約５秒未満である請求項１に記載の方法。
【請求項２４】
前記音波の伝達の持続時間は約１秒未満である請求項１に記載の方法。
【請求項２５】
皮膚（３０）から突出する望ましくない毛を処理するための装置（２０）であって、音波を発生するためのトランスデューサ（２２）を含む装置において、前記音波が集束されて毛（２８）を通って皮膚（３０）を過ぎて伝達され、
それ自体毛の毛包（３１）、真皮乳頭（３２）、毛隆起（３５）、および／または胚マトリックス（３３）を損傷または破壊するのに充分な熱を毛の前記毛包、前記真皮乳頭、前記毛隆起、および／または前記胚マトリックスに発生するように、前記音波と毛の間の音響結合を確立するために毛（２８）を挟持するための波コンデンサ（２４）をさらに含む装置。
【請求項２６】
前記波コンデンサは、前記音波の伝搬方向が、前記波コンデンサに入るときに、毛の長手軸とほぼ平行になるように設計および構成される請求項２５に記載の装置。
【請求項２７】
前記波コンデンサは、前記音波の伝搬方向が、前記波コンデンサに入るときに、毛の長手軸に対しほぼ直角になるように設計および構成される請求項２５に記載の装置。
【請求項２８】
前記波コンデンサは、前記音波の伝搬方向が、波コンデンサに入るときに、毛の長手軸に対しほぼ傾斜するように設計および構成される請求項２５に記載の装置。
【請求項２９】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項２５に記載の装置。
【請求項３０】
前記結合長は約１ｍｍより長い請求項２９に記載の装置。
【請求項３１】
前記結合長は約６ｍｍより短い請求項２９に記載の装置。
【請求項３２】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項２５に記載の装置。
【請求項３３】
前記音波の周波数、出力密度、および伝達の持続時間の少なくとも一つが、毛の振動を最小化するように選択される請求項２５に記載の装置。
【請求項３４】
前記毛の振動は毛の長手方向振動を含む請求項３３に記載の装置。
【請求項３５】
前記音波の前記周波数、前記出力密度、および／または前記伝達の持続時間を、毛の前記長手方向振動の固有振幅が１０マイクロメートル未満となるように選択する請求項３４に記載の装置。
【請求項３６】
前記音波の前記周波数、前記出力密度、および／または前記伝達の持続時間を、毛の前記長手方向振動の固有振幅が５マイクロメートル未満となるように選択する請求項３４に記載の装置。
【請求項３７】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項２５に記載の装置。
【請求項３８】
前記周波数はオフレゾナンス周波数である請求項３７に記載の装置。
【請求項３９】
前記トランスデューサは超音波を発生する超音波トランスデューサである請求項３７に記載の装置。
【請求項４０】
前記トランスデューサは、圧電セラミック素子および圧電複合素子から成る群から選択された能動素子を含む請求項２５に記載の装置。
【請求項４１】
前記トランスデューサは第１部分および第２部分を含み、前記第１部分および前記第２部分の各々が少なくとも１つの能動素子を含む請求項４０に記載の装置。
【請求項４２】
前記波コンデンサは、前記トランスデューサの前記第１部分に結合された第１部分と、前記トランスデューサの前記第２部分に結合された第２部分とを含む請求項４０に記載の装置。
【請求項４３】
前記トランスデューサは平面状能動素子を含む請求項４０に記載の装置。
【請求項４４】
前記トランスデューサは凹面状能動素子を含む請求項４０に記載の装置。
【請求項４５】
前記トランスデューサは、表面上に配列された複数の能動素子を含む請求項４０に記載の装置。
【請求項４６】
前記表面は平面である請求項４５に記載の装置。
【請求項４７】
前記表面は凹面である請求項４５に記載の装置。
【請求項４８】
前記音波を前記波コンデンサ内に集束するように設計および構成された、前記トランスデューサおよび前記波コンデンサを結合する集束素子をさらに含む請求項２５に記載の装置。
【請求項４９】
前記トランスデューサは第１部分および第２部分を含み、前記第１部分および前記第２部分の各々が少なくとも１つの能動素子を含む請求項４８に記載の装置。
【請求項５０】
前記波コンデンサおよび前記集束素子の各々は第１部分および第２部分を含み、前記集束素子の前記第１部分は前記トランスデューサの前記第１部分と、前記波コンデンサの第１部分とを結合し、前記集束素子の前記第２部分は前記トランスデューサの前記第２部分と、前記波コンデンサの第２部分とを結合する請求項４０に記載の装置。
【請求項５１】
前記集束素子はテーパ状ハウジングを含む請求項４８に記載の装置。
【請求項５２】
前記テーパ状ハウジングのプロファイルは、段付きプロファイル、直線状プロファイル、セグメント化直線状プロファイル、および指数関数的プロファイルから成る群から選択される請求項５１に記載の装置。
【請求項５３】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項４５に記載の装置。
【請求項５４】
前記波コンデンサは、前記音波のエネルギーが複数の方向から毛に伝達されるように毛を受容するように構成されたチャンバを含む請求項３９に記載の装置。
【請求項５５】
前記チャンバは超音波伝導ゲルを包含する請求項５４に記載の装置。
【請求項５６】
前記波コンデンサは、約１ミリメートルから約１０ミリメートルまでの曲率半径を特徴とする表面を含む請求項５４に記載の装置。
【請求項５７】
前記表面の形状は球面、円筒面、楕円面、放物面、双曲面、およびそれらの任意の組合せまたはそれらの一部分から成る群から選択される請求項５６に記載の装置。
【請求項５８】
前記波コンデンサは、分割するように作動し、それによって毛を受容するための間隙を形成する請求項２５に記載の装置。
【請求項５９】
前記波コンデンサおよび前記トランスデューサは、分割するように作動し、それによって毛を受容するための間隙を形成する請求項２５に記載の装置。
【請求項６０】
前記波コンデンサならびに前記トランスデューサおよび前記集束素子の少なくとも１つは、分割するように作動し、それによって毛を受容するための間隙を形成する請求項４８に記載の装置。
【請求項６１】
毛に対して前記波コンデンサを移動させるための駆動機構をさらに含む請求項５８に記載の装置。
【請求項６２】
前記波コンデンサは、前記波コンデンサが分割したときに毛が前記間隙に係合し、前記波コンデンサが再組立されたときに、毛が前記波コンデンサによって挟持され、前記音波によって照射されるように、周期的に分割および再組立されるように作動することができる請求項６１に記載の装置。
【請求項６３】
前記駆動機構は前記波コンデンサに回転運動をもたらすように構成される請求項６１に記載の装置。
【請求項６４】
前記駆動機構は前記波コンデンサに往復直線運動をもたらすように構成される請求項６１に記載の装置。
【請求項６５】
毛を捕捉するために、前記波コンデンサと協働して作動する毛捕捉器をさらに含む請求項２５に記載の装置。
【請求項６６】
前記毛捕捉器は、ブラシ、ネット、およびクランプからなる群から選択される請求項６５に記載の装置。
【請求項６７】
前記毛捕捉器は超音波伝導ゲルを毛に塗るように作動することができる請求項６５に記載の装置。
【請求項６８】
前記超音波伝導ゲルをさらに含む請求項６５に記載の装置。
【請求項６９】
前記毛捕捉器は、毛の脱離を達成するために毛を引っ張るように作動することができる請求項６５に記載の装置。
【請求項７０】
前記超音波は少なくとも１５０ｋＨｚの周波数である請求項３９に記載の装置。
【請求項７１】
前記超音波は少なくとも５００ｋＨｚの周波数である請求項３９に記載の装置。
【請求項７２】
前記超音波は約１５０ｋＨｚから約１３００ｋＨｚまでの範囲の周波数である請求項３９に記載の装置。
【請求項７３】
前記超音波は約５００ｋＨｚから約１０００ｋＨｚまでの範囲の周波数である請求項３９に記載の装置。
【請求項７４】
前記トランスデューサは、１平方センチメートル当たり少なくとも１ワットの出力密度の音波を発生するように構成される請求項２５に記載の装置。
【請求項７５】
前記トランスデューサは、１平方センチメートル当たり約１ワットから１平方センチメートル当たり約１００ワットまでの出力密度の音波を発生するように構成される請求項２５に記載の装置。
【請求項７６】
望ましくない毛を処理する方法であって、前記方法は、毛の一部分を挟持し、毛に音波を伝達させることを含み、前記毛の一部分の長さは、毛と前記音波との間の音響結合が増強されるように選択される方法。
【請求項７７】
前記毛に音波を伝達させることは、毛の毛包、真皮乳頭、毛隆起、および／または胚マトリックスに熱を発生させるためであり、前記熱はそれ自体、前記毛包、前記真皮乳頭、前記毛隆起、および／または前記胚マトリックスを損傷または破壊するのに充分である請求項７６に記載の方法。
【請求項７８】
前記音波を毛に伝達させる前に、前記音波を集束させるために波コンデンサを使用することをさらに含む請求項７６に記載の方法。
【請求項７９】
前記挟持は、前記音波の伝搬方向が、前記波コンデンサに入るときに毛の長手軸とほぼ平行になるように、毛および／または前記波コンデンサを配置することを含む請求項７８に記載の方法。
【請求項８０】
前記挟持は、前記音波の伝搬方向が、前記波コンデンサに入るときに毛の長手軸にほぼ直角になるように、毛および／または前記波コンデンサを配置することを含む請求項７８に記載の方法。
【請求項８１】
前記挟持は、前記音波の伝搬方向が、前記波コンデンサに入るときに毛の長手軸に対しほぼ傾斜するように、毛および／または前記波コンデンサを配置することを含む請求項７８に記載の方法。
【請求項８２】
毛の脱離が達成されるように毛を引っ張ることをさらに含む請求項７８に記載の方法。
【請求項８３】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項７８に記載の方法。
【請求項８４】
前記結合長は約１ｍｍより長い請求項８３に記載の方法。
【請求項８５】
前記結合長は約６ｍｍより短い請求項８３に記載の方法。
【請求項８６】
前記熱の前記発生は、前記毛包、前記真皮乳頭、前記毛隆起、および／または前記胚マトリックスにおける熱が結果的に少なくとも２０℃の温度上昇を引き起こす請求項７６に記載の方法。
【請求項８７】
前記音波の周波数、出力密度、および伝達の持続時間の少なくとも一つが、毛の振動を最小化するように選択される請求項７６に記載の方法。
【請求項８８】
前記毛の振動は毛の長手方向振動を含む請求項１２に記載の方法。
【請求項８９】
前記音波の前記周波数、前記出力密度、および／または前記伝達の持続時間を、毛の前記長手方向振動の固有振幅が１０マイクロメートル未満となるように選択する請求項８８に記載の方法。
【請求項９０】
前記音波の前記周波数、前記出力密度、および／または前記伝達の持続時間を、毛の前記長手方向振動の固有振幅が５マイクロメートル未満となるように選択する請求項８８に記載の方法。
【請求項９１】
前記音波の周波数、出力密度、および伝達の持続時間の少なくとも一つは、前記熱の前記発生が、前記毛包、前記真皮乳頭、前記毛隆起、および／または前記胚マトリックスにおける熱が結果的に少なくとも２０℃の温度上昇を引き起こすように、選択される請求項７６に記載の方法。
【請求項９２】
前記周波数はオフレゾナンス周波数である請求項９１に記載の方法。
【請求項９３】
前記音波は超音波を含む請求項９１に記載の方法。
【請求項９４】
前記超音波は少なくとも１５０ｋＨｚの周波数である請求項９３に記載の方法。
【請求項９５】
前記超音波は少なくとも５００ｋＨｚの周波数である請求項９３に記載の方法。
【請求項９６】
前記超音波は約１５０ｋＨｚから約１３００ｋＨｚまでの範囲の周波数である請求項９３に記載の方法。
【請求項９７】
前記超音波は約５００ｋＨｚから約１０００ｋＨｚまでの範囲の周波数である請求項９３に記載の方法。
【請求項９８】
前記音波の伝達の持続時間は約５秒未満である請求項７６に記載の方法。
【請求項９９】
前記音波の伝達の持続時間は約１秒未満である請求項７６に記載の方法。
【請求項１００】
望ましくない毛を処理するための装置であって、音波を発生するためのトランスデューサと、前記音波を集束して毛に伝達させるための波コンデンサとを含み、前記波コンデンサが毛と前記音波との間の音響結合を増強するように毛を挟持するように設計および構成される、装置。
【請求項１０１】
前記トランスデューサおよび前記波コンデンサは、前記音波が毛に伝達するとき、毛の毛包、真皮乳頭、毛隆起、および／または胚マトリックスに熱を発生させ、前記熱はそれ自体、前記毛包、前記真皮乳頭、前記毛隆起、および／または前記胚マトリックスを損傷または破壊するのに充分であるように設計および構成される請求項１００に記載の装置。
【請求項１０２】
前記波コンデンサは、前記音波の伝搬方向が、前記波コンデンサに入るときに、毛の長手軸とほぼ平行になるように設計および構成される請求項１００に記載の装置。
【請求項１０３】
前記波コンデンサは、前記音波の伝搬方向が、前記波コンデンサに入るときに、毛の長手軸に対しほぼ直角になるように設計および構成される請求項１００に記載の装置。
【請求項１０４】
前記波コンデンサは、前記音波の伝搬方向が、前記波コンデンサに入るときに、毛の長手軸に対しほぼ傾斜するように設計および構成される請求項１００に記載の装置。
【請求項１０５】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項１００に記載の装置。
【請求項１０６】
前記結合長は約１ｍｍより長い請求項１０５に記載の装置。
【請求項１０７】
前記結合長は約６ｍｍより短い請求項１０５に記載の装置。
【請求項１０８】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項１００に記載の装置。
【請求項１０９】
前記音波の周波数、出力密度、および伝達の持続時間の少なくとも一つが、毛の振動を最小化するように選択される請求項１００に記載の装置。
【請求項１１０】
前記毛の振動は毛の長手方向振動を含む請求項１０９に記載の装置。
【請求項１１１】
前記音波の前記周波数、前記出力密度、および／または前記伝達の持続時間を、毛の前記長手方向振動の固有振幅が１０マイクロメートル未満となるように選択する請求項１１０に記載の装置。
【請求項１１２】
前記音波の前記周波数、前記出力密度、および／または前記伝達の持続時間を、毛の前記長手方向振動の固有振幅が５マイクロメートル未満となるように選択する請求項１１０に記載の装置。
【請求項１１３】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１００に記載の装置。
【請求項１１４】
前記周波数はオフレゾナンス周波数である請求項１１３に記載の装置。
【請求項１１５】
前記トランスデューサは、超音波を発生する超音波トランスデューサである請求項１１３に記載の装置。
【請求項１１６】
前記トランスデューサは、圧電セラミック素子および圧電複合素子から成る群から選択された能動素子を含む請求項１００に記載の装置。
【請求項１１７】
前記トランスデューサは第１部分および第２部分を含み、前記第１部分および前記第２部分の各々が少なくとも１つの能動素子を含む請求項１１６に記載の装置。
【請求項１１８】
前記波コンデンサは、前記トランスデューサの前記第１部分に結合された第１部分と、前記トランスデューサの前記第２部分に結合された第２部分とを含む請求項１１６に記載の装置。
【請求項１１９】
前記トランスデューサは平面状能動素子を含む請求項１１６に記載の装置。
【請求項１２０】
前記トランスデューサは凹面状能動素子を含む請求項１１６に記載の装置。
【請求項１２１】
前記トランスデューサは、表面上に配列された複数の能動素子を含む請求項１１６に記載の装置。
【請求項１２２】
前記表面は平面である請求項１２１に記載の装置。
【請求項１２３】
前記表面は凹面である請求項１２１に記載の装置。
【請求項１２４】
前記音波を前記波コンデンサ内に集束するように設計および構成された、前記トランスデューサおよび前記波コンデンサを結合する集束素子をさらに含む請求項１００に記載の装置。
【請求項１２５】
前記トランスデューサは第１部分および第２部分を含み、前記第１部分および前記第２部分の各々が少なくとも１つの能動素子を含む請求項１２４に記載の装置。
【請求項１２６】
前記波コンデンサおよび前記集束素子の各々は第１部分および第２部分を含み、前記集束素子の前記第１部分は前記トランスデューサの前記第１部分と、前記波コンデンサの第１部分とを結合し、前記集束素子の前記第２部分は前記トランスデューサの前記第２部分と、前記波コンデンサの第２部分とを結合する請求項１１６に記載の装置。
【請求項１２７】
前記集束素子はテーパ状ハウジングを含む請求項１２４に記載の装置。
【請求項１２８】
前記テーパ状ハウジングのプロファイルは、段付きプロファイル、直線状プロファイル、セグメント化直線状プロファイル、および指数関数的プロファイルから成る群から選択される請求項１２７に記載の装置。
【請求項１２９】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項１２１に記載の装置。
【請求項１３０】
前記波コンデンサは、前記音波のエネルギーが複数の方向から毛に伝達されるように毛を受容するように構成されたチャンバを含む請求項１１５に記載の装置。
【請求項１３１】
前記チャンバは超音波伝導ゲルを包含する請求項１３０に記載の装置。
【請求項１３２】
前記波コンデンサは、約１ミリメートルから約１０ミリメートルまでの曲率半径を特徴とする表面を含む請求項１３０に記載の装置。
【請求項１３３】
前記表面の形状は球面、円筒面、楕円面、放物面、双曲面、およびそれらの任意の組合せまたはそれらの一部分から成る群から選択される請求項１３２に記載の装置。
【請求項１３４】
前記波コンデンサは、分割するように作動し、それによって毛を受容するための間隙を形成する請求項１００に記載の装置。
【請求項１３５】
前記波コンデンサおよび前記トランスデューサは、分割するように作動し、それによって毛を受容するための間隙を形成する請求項１００に記載の装置。
【請求項１３６】
前記波コンデンサならびに前記トランスデューサおよび前記集束素子の少なくとも１つは、分割するように作動し、それによって毛を受容するための間隙を形成する請求項１２４に記載の装置。
【請求項１３７】
毛に対して前記波コンデンサを移動させるための駆動機構をさらに含む請求項１３４に記載の装置。
【請求項１３８】
前記波コンデンサは、前記波コンデンサが分割したときに毛が前記間隙に係合し、前記波コンデンサが再組立されたときに、毛が前記波コンデンサによって挟持され、前記音波によって照射されるように、周期的に分割および再組立されるように作動することができる請求項１３７に記載の装置。
【請求項１３９】
前記駆動機構は前記波コンデンサに回転運動をもたらすように構成される請求項１３７に記載の装置。
【請求項１４０】
前記駆動機構は前記波コンデンサに往復直線運動をもたらすように構成される請求項１３７に記載の装置。
【請求項１４１】
毛を捕捉するために、前記波コンデンサと協働して作動する毛捕捉器をさらに含む請求項１００に記載の装置。
【請求項１４２】
前記毛捕捉器は、ブラシ、ネット、およびクランプからなる群から選択される請求項１４１に記載の装置。
【請求項１４３】
前記毛捕捉器は超音波伝導ゲルを毛に塗るように作動することができる請求項１４１に記載の装置。
【請求項１４４】
前記超音波伝導ゲルをさらに含む請求項１４１に記載の装置。
【請求項１４５】
前記毛捕捉器は、毛の脱離を達成するために毛を引っ張るように作動することができる請求項１４１に記載の装置。
【請求項１４６】
前記超音波は少なくとも１５０ｋＨｚの周波数である請求項１１５に記載の装置。
【請求項１４７】
前記超音波は少なくとも５００ｋＨｚの周波数である請求項１１５に記載の装置。
【請求項１４８】
前記超音波は約１５０ｋＨｚから約１３００ｋＨｚまでの範囲の周波数である請求項１１５記載の装置。
【請求項１４９】
前記超音波は約５００ｋＨｚから約１０００ｋＨｚまでの範囲の周波数である請求項１１５に記載の装置。
【請求項１５０】
前記トランスデューサは、１平方センチメートル当たり少なくとも１ワットの出力密度の音波を発生するように構成される請求項１００に記載の装置。
【請求項１５１】
前記トランスデューサは、１平方センチメートル当たり約１ワットから１平方センチメートル当たり約１００ワットまでの出力密度の音波を発生するように構成される請求項１００に記載の装置。
【請求項１５２】
望ましくない毛を処理する方法であって、前記方法は毛に音波を伝達させることを含み、前記音波の周波数、出力密度、および伝達の持続時間のうちの少なくとも１つは、毛の振動を最小化するように選択される方法。
【請求項１５３】
前記毛の振動は毛の長手方向振動を含む請求項１５２に記載の方法。
【請求項１５４】
前記毛に音波を伝達させることは、毛の毛包、真皮乳頭、毛隆起、および／または胚マトリックスに熱を発生させるためであり、前記熱はそれ自体、前記毛包、前記真皮乳頭、前記毛隆起、および／または前記胚マトリックスを損傷または破壊するのに充分である請求項１５２に記載の方法。
【請求項１５５】
前記音波を毛に伝達させる前に、前記音波を集束させるために波コンデンサを使用することをさらに含む請求項１５２に記載の方法。
【請求項１５６】
前記音波の伝達前に、前記音波と毛との間の音響結合が増強されるように毛を挟持することをさらに含む請求項１５２に記載の方法。
【請求項１５７】
前記挟持は、前記音波の伝搬方向が、前記波コンデンサに入るときに毛の長手軸とほぼ平行になるように、毛および／または前記波コンデンサを配置することを含む請求項１５６に記載の方法。
【請求項１５８】
前記挟持は、前記音波の伝搬方向が、前記波コンデンサに入るときに毛の長手軸にほぼ直角になるように、毛および／または前記波コンデンサを配置することを含む請求項１５６に記載の方法。
【請求項１５９】
前記挟持は、前記音波の伝搬方向が、前記波コンデンサに入るときに毛の長手軸に対しほぼ傾斜するように、毛および／または前記波コンデンサを配置することを含む請求項１５６に記載の方法。
【請求項１６０】
毛の脱離が達成されるように毛を引っ張ることをさらに含む請求項１５６に記載の方法。
【請求項１６１】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項１５６に記載の方法。
【請求項１６２】
前記結合長は約１ｍｍより長い請求項１６１に記載の方法。
【請求項１６３】
前記結合長は約６ｍｍより短い請求項１６１に記載の方法。
【請求項１６４】
前記熱の発生は、前記毛包、前記真皮乳頭、前記毛隆起、および／または前記胚マトリックスにおける前記熱が結果的に少なくとも２０℃の温度上昇を生じるように設計および構成される請求項１５２に記載の方法。
【請求項１６５】
前記音波の前記周波数、前記出力密度、および／または前記伝達の持続時間を、毛の前記長手方向振動の固有振幅が１０マイクロメートル未満となるように選択する請求項１５３に記載の方法。
【請求項１６６】
前記音波の前記周波数、前記出力密度、および／または前記伝達の持続時間を、毛の前記長手方向振動の固有振幅が５マイクロメートル未満となるように選択する請求項１５３に記載の方法。
【請求項１６７】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１５２に記載の方法。
【請求項１６８】
前記周波数はオフレゾナンス周波数である請求項１６７に記載の方法。
【請求項１６９】
前記音波は超音波を含む請求項１６７に記載の方法。
【請求項１７０】
前記超音波は少なくとも１５０ｋＨｚの周波数である請求項１６９に記載の方法。
【請求項１７１】
前記超音波は少なくとも５００ｋＨｚの周波数である請求項１６９に記載の方法。
【請求項１７２】
前記超音波は約１５０ｋＨｚから約１３００ｋＨｚまでの範囲の周波数である請求項１６９に記載の方法。
【請求項１７３】
前記超音波は約５００ｋＨｚから約１０００ｋＨｚまでの範囲の周波数である請求項１６９に記載の方法。
【請求項１７４】
前記音波の伝達の持続時間は約５秒未満である請求項１５２に記載の方法。
【請求項１７５】
前記音波の伝達の持続時間は約１秒未満である請求項１５２に記載の方法。
【請求項１７６】
望ましくない毛を処理するための装置であって、音波を発生するためのトランスデューサと、前記音波を集束して毛に伝達させるための波コンデンサとを含み、前記音波の周波数、出力密度、および伝達の持続時間のうちの少なくとも１つが毛の振動を最小化するように選択される、装置。
【請求項１７７】
前記毛の振動は毛の長手方向振動を含む請求項１７６に記載の装置。
【請求項１７８】
前記トランスデューサおよび前記波コンデンサは、前記音波が毛に伝達するとき、毛の毛包、真皮乳頭、毛隆起、および／または胚マトリックスに熱を発生させ、前記熱はそれ自体、前記毛包、前記真皮乳頭、前記毛隆起、および／または前記胚マトリックスを損傷または破壊するのに充分であるように設計および構成される請求項１７６に記載の装置。
【請求項１７９】
前記波コンデンサは、前記音波の伝搬方向が、前記波コンデンサに入るときに、毛の長手軸とほぼ平行になるように設計および構成される請求項１７６に記載の装置。
【請求項１８０】
前記波コンデンサは、前記音波の伝搬方向が、前記波コンデンサに入るときに、毛の長手軸に対しほぼ直角になるように設計および構成される請求項１７６に記載の装置。
【請求項１８１】
前記波コンデンサは、前記音波の伝搬方向が、波コンデンサに入るときに、毛の長手軸に対しほぼ傾斜するように設計および構成される請求項１７６に記載の装置。
【請求項１８２】
前記波コンデンサは、前記音波と毛との間の音響結合が増強されるように毛を挟持するように設計および構成される請求項１７６に記載の装置。
【請求項１８３】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項１８２に記載の装置。
【請求項１８４】
前記結合長は約１ｍｍより長い請求項１８３に記載の装置。
【請求項１８５】
前記結合長は約６ｍｍより短い請求項１８３に記載の装置。
【請求項１８６】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項１７６に記載の装置。
【請求項１８７】
前記音波の前記周波数、前記出力密度、および／または前記伝達の持続時間を、毛の前記長手方向振動の固有振幅が１０マイクロメートル未満となるように選択する請求項１７７に記載の装置。
【請求項１８８】
前記音波の前記周波数、前記出力密度、および／または前記伝達の持続時間を、毛の前記長手方向振動の固有振幅が５マイクロメートル未満となるように選択する請求項１７７に記載の装置。
【請求項１８９】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１７６に記載の装置。
【請求項１９０】
前記周波数はオフレゾナンス周波数である請求項１８９に記載の装置。
【請求項１９１】
前記トランスデューサは、超音波を発生する超音波トランスデューサである請求項１８９に記載の装置。
【請求項１９２】
前記トランスデューサは、圧電セラミック素子および圧電複合素子から成る群から選択された能動素子を含む請求項１７６に記載の装置。
【請求項１９３】
前記トランスデューサは第１部分および第２部分を含み、前記第１部分および前記第２部分の各々が少なくとも１つの能動素子を含む請求項１９２に記載の装置。
【請求項１９４】
前記波コンデンサは、前記トランスデューサの前記第１部分に結合された第１部分と、前記トランスデューサの前記第２部分に結合された第２部分とを含む請求項１９２に記載の装置。
【請求項１９５】
前記トランスデューサは平面状能動素子を含む請求項１９２に記載の装置。
【請求項１９６】
前記トランスデューサは凹面状能動素子を含む請求項１９２に記載の装置。
【請求項１９７】
前記トランスデューサは、表面上に配列された複数の能動素子を含む請求項１９２に記載の装置。
【請求項１９８】
前記表面は平面である請求項１９７に記載の装置。
【請求項１９９】
前記表面は凹面である請求項１９７に記載の装置。
【請求項２００】
前記音波を前記波コンデンサ内に集束するように設計および構成された、前記トランスデューサおよび前記波コンデンサを結合する集束素子をさらに含む請求項１７６に記載の装置。
【請求項２０１】
前記トランスデューサは第１部分および第２部分を含み、前記第１部分および前記第２部分の各々が少なくとも１つの能動素子を含む請求項２００に記載の装置。
【請求項２０２】
前記波コンデンサおよび前記集束素子の各々は第１部分および第２部分を含み、前記集束素子の前記第１部分は前記トランスデューサの前記第１部分と、前記波コンデンサの前記第１部分とを結合し、前記集束素子の前記第２部分は前記トランスデューサの前記第２部分と、前記波コンデンサの前記第２部分とを結合する請求項１９２に記載の装置。
【請求項２０３】
前記集束素子はテーパ状ハウジングを含む請求項２００に記載の装置。
【請求項２０４】
前記テーパ状ハウジングのプロファイルは、段付きプロファイル、直線状プロファイル、セグメント化直線状プロファイル、および指数関数的プロファイルから成る群から選択される請求項２０３に記載の装置。
【請求項２０５】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項１９７に記載の装置。
【請求項２０６】
前記波コンデンサは、前記音波のエネルギーが複数の方向から毛に伝達されるように毛を受容するように構成されたチャンバを含む請求項１９１に記載の装置。
【請求項２０７】
前記チャンバは超音波伝導ゲルを包含する請求項２０６に記載の装置。
【請求項２０８】
前記波コンデンサは、約１ミリメートルから約１０ミリメートルまでの曲率半径を特徴とする表面を含む請求項２０６に記載の装置。
【請求項２０９】
前記表面の形状は球面、円筒面、楕円面、放物面、双曲面、およびそれらの任意の組合せまたはそれらの一部分から成る群から選択される請求項２０８に記載の装置。
【請求項２１０】
前記波コンデンサは、分割するように作動し、それによって毛を受容するための間隙を形成する請求項１７６に記載の装置。
【請求項２１１】
前記波コンデンサおよび前記トランスデューサは、分割するように作動し、それによって毛を受容するための間隙を形成する請求項１７６に記載の装置。
【請求項２１２】
前記波コンデンサならびに前記トランスデューサおよび前記集束素子の少なくとも１つは、分割するように作動し、それによって毛を受容するための間隙を形成する請求項２００に記載の装置。
【請求項２１３】
毛に対して前記波コンデンサを移動させるための駆動機構をさらに含む請求項２１０に記載の装置。
【請求項２１４】
前記波コンデンサは、前記波コンデンサが分割したときに毛が前記間隙に係合し、前記波コンデンサが再組立されたときに、毛が前記波コンデンサによって挟持され、前記音波によって照射されるように、周期的に分割および再組立されるように作動することができる請求項２１３に記載の装置。
【請求項２１５】
前記駆動機構は前記波コンデンサに回転運動をもたらすように構成される請求項２１３に記載の装置。
【請求項２１６】
前記駆動機構は前記波コンデンサに往復直線運動をもたらすように構成される請求項２１３に記載の装置。
【請求項２１７】
毛を捕捉するために、前記波コンデンサと協働して作動する毛捕捉器をさらに含む請求項１７６に記載の装置。
【請求項２１８】
前記毛捕捉器は、ブラシ、ネット、およびクランプからなる群から選択される請求項２１７に記載の装置。
【請求項２１９】
前記毛捕捉器は超音波伝導ゲルを毛に塗るように作動することができる請求項２１７に記載の装置。
【請求項２２０】
前記超音波伝導ゲルをさらに含む請求項２１７に記載の装置。
【請求項２２１】
前記毛捕捉器は、毛の脱離を達成するために毛を引っ張るように作動することができる請求項２１７に記載の装置。
【請求項２２２】
前記超音波は少なくとも１５０ｋＨｚの周波数である請求項１９１に記載の装置。
【請求項２２３】
前記超音波は少なくとも５００ｋＨｚの周波数である請求項１９１に記載の装置。
【請求項２２４】
前記超音波は約１５０ｋＨｚから約１３００ｋＨｚまでの範囲の周波数である請求１９１に記載の装置。
【請求項２２５】
前記超音波は約５００ｋＨｚから約１０００ｋＨｚまでの範囲の周波数である請求項１９１に記載の装置。
【請求項２２６】
前記トランスデューサは、１平方センチメートル当たり少なくとも１ワットの出力密度の音波を発生するように構成される請求項１７６に記載の装置。
【請求項２２７】
前記トランスデューサは、１平方センチメートル当たり約１ワットから１平方センチメートル当たり約１００ワットまでの出力密度の音波を発生するように構成される請求項１７６に記載の装置。
【請求項２２８】
望ましくない毛を処理する方法であって、約１５０ｋＨｚから約１３００ｋＨｚまでの周波数の音波を毛に伝達させることを含む方法。
【請求項２２９】
前記毛に音波を伝達させることは、毛の毛包、真皮乳頭、毛隆起、および／または胚マトリックスに熱を発生させるためであり、前記熱はそれ自体、前記毛包、前記真皮乳頭、前記毛隆起、および／または前記胚マトリックスを損傷または破壊するのに充分である請求項２２８に記載の方法。
【請求項２３０】
前記音波を毛に伝達させる前に、前記音波を集束させるために波コンデンサを使用することをさらに含む請求項２２８に記載の方法。
【請求項２３１】
前記音波の伝達前に、前記音波と毛との間の音響結合が増強されるように毛を挟持することをさらに含む請求項２２８に記載の方法。
【請求項２３２】
前記挟持は、前記音波の伝搬方向が、前記波コンデンサに入るときに毛の長手軸とほぼ平行になるように、毛および／または前記波コンデンサを配置することを含む請求項２３１に記載の方法。
【請求項２３３】
前記挟持は、前記音波の伝搬方向が、前記波コンデンサに入るときに毛の長手軸にほぼ直角になるように、毛および／または前記波コンデンサを配置することを含む請求項２３１に記載の方法。
【請求項２３４】
前記挟持は、前記音波の伝搬方向が、前記波コンデンサに入るときに毛の長手軸に対しほぼ傾斜するように、毛および／または前記波コンデンサを配置することを含む請求項２３１に記載の方法。
【請求項２３５】
毛の脱離が達成されるように毛を引っ張ることをさらに含む請求項２３１に記載の方法。
【請求項２３６】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項２３１に記載の方法。
【請求項２３７】
前記結合長は約１ｍｍより長い請求項２３６に記載の方法。
【請求項２３８】
前記結合長は約６ｍｍより短い請求項２３６に記載の方法。
【請求項２３９】
前記熱の発生は、前記毛包、前記真皮乳頭、前記毛隆起、および／または前記胚マトリックスにおける前記熱が結果的に少なくとも２０℃の温度上昇を生じるように設計および構成される請求項２２８に記載の方法。
【請求項２４０】
前記音波の周波数、出力密度、および伝達の持続時間の少なくとも一つが、毛の振動を最小化するように選択される請求項２２８に記載の方法。
【請求項２４１】
前記毛の振動は毛の長手方向振動を含む請求項１２に記載の方法。
【請求項２４２】
前記音波の前記周波数、前記出力密度、および／または前記伝達の持続時間を、毛の前記長手方向振動の固有振幅が１０マイクロメートル未満となるように選択する請求項２４１に記載の方法。
【請求項２４３】
前記音波の前記周波数、前記出力密度、および／または前記伝達の持続時間を、毛の前記長手方向振動の固有振幅が５マイクロメートル未満となるように選択する請求項２４１に記載の方法。
【請求項２４４】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項２２８に記載の方法。
【請求項２４５】
前記周波数はオフレゾナンス周波数である請求項２４４に記載の方法。
【請求項２４６】
前記音波の伝達の持続時間は約５秒未満である請求項２２８に記載の方法。
【請求項２４７】
前記音波の伝達の持続時間は約１秒未満である請求項２２８に記載の方法。
【請求項２４８】
望ましくない毛を処理するための装置（２０）であって、約１５０ｋＨｚから約１３００ｋＨｚまでの周波数の音波を発生するためのトランスデューサ（２０）と、前記音波を集束して毛（２８）に伝達させるための波コンデンサ（２４）とを含む装置であって、前記トランスデューサおよび前記波コンデンサは、前記音波が毛に伝達するとき、毛の毛包、真皮乳頭、毛隆起、および／または胚マトリックスに熱を発生させるように設計および構成される装置。
【請求項２４９】
前記熱はそれ自体、前記毛包、前記真皮乳頭、前記毛隆起、および／または前記胚マトリックスを損傷または破壊するのに充分である請求項２４８に記載の装置。
【請求項２５０】
前記波コンデンサは、前記音波の伝搬方向が、前記波コンデンサに入るときに毛の長手軸とほぼ平行になるように設計および構成される請求項２４８に記載の装置。
【請求項２５１】
前記波コンデンサは、前記音波の伝搬方向が、前記波コンデンサに入るときに毛の長手軸に対しほぼ直角になるように設計および構成される請求項２４８に記載の装置。
【請求項２５２】
前記波コンデンサは、前記音波の伝搬方向が、波コンデンサに入るときに毛の長手軸に対しほぼ傾斜するように設計および構成される請求項２４８に記載の装置。
【請求項２５３】
前記波コンデンサは、前記音波と毛との間の音響結合が増強されるように毛を挟持するように設計および構成される請求項２４８に記載の装置。
【請求項２５４】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項２５３に記載の装置。
【請求項２５５】
前記結合長は約１ｍｍより長い請求項２５４に記載の装置。
【請求項２５６】
前記結合長は約６ｍｍより短い請求項２５４に記載の装置。
【請求項２５７】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項２４８に記載の装置。
【請求項２５８】
前記音波の周波数、出力密度、および伝達の持続時間の少なくとも一つが、毛の振動を最小化するように選択される請求項２４８に記載の装置。
【請求項２５９】
前記毛の振動は毛の長手方向振動を含む請求項２５８に記載の装置。
【請求項２６０】
前記音波の前記周波数、前記出力密度、および／または前記伝達の持続時間を、毛の前記長手方向振動の固有振幅が１０マイクロメートル未満となるように選択する請求項２５９に記載の装置。
【請求項２６１】
前記音波の前記周波数、前記出力密度、および／または前記伝達の持続時間を、毛の前記長手方向振動の固有振幅が５マイクロメートル未満となるように選択する請求項２５９に記載の装置。
【請求項２６２】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項２４８に記載の装置。
【請求項２６３】
前記周波数はオフレゾナンス周波数である請求項２６２に記載の装置。
【請求項２６４】
前記トランスデューサは、超音波を発生する超音波トランスデューサである請求項２６２に記載の装置。
【請求項２６５】
前記トランスデューサは、圧電セラミック素子および圧電複合素子から成る群から選択された能動素子を含む請求項２４８に記載の装置。
【請求項２６６】
前記トランスデューサは第１部分および第２部分を含み、前記第１部分および前記第２部分の各々が少なくとも１つの能動素子を含む請求項２６５に記載の装置。
【請求項２６７】
前記波コンデンサは、前記トランスデューサの前記第１部分に結合された第１部分と、前記トランスデューサの前記第２部分に結合された第２部分とを含む請求項２６５に記載の装置。
【請求項２６８】
前記トランスデューサは平面状能動素子を含む請求項２６５に記載の装置。
【請求項２６９】
前記トランスデューサは凹面状能動素子を含む請求項２６５に記載の装置。
【請求項２７０】
前記トランスデューサは、表面上に配列された複数の能動素子を含む請求項２６５に記載の装置。
【請求項２７１】
前記表面は平面である請求項２７０に記載の装置。
【請求項２７２】
前記表面は凹面である請求項２７０に記載の装置。
【請求項２７３】
前記音波を前記波コンデンサ内に集束するように設計および構成された、前記トランスデューサおよび前記波コンデンサを結合する集束素子をさらに含む請求項２４８に記載の装置。
【請求項２７４】
前記トランスデューサは第１部分および第２部分を含み、前記第１部分および前記第２部分の各々が少なくとも１つの能動素子を含む請求項２７３に記載の装置。
【請求項２７５】
前記波コンデンサおよび前記集束素子の各々は第１部分および第２部分を含み、前記集束素子の前記第１部分は前記トランスデューサの前記第１部分と、前記波コンデンサの前記第１部分とを結合し、前記集束素子の前記第２部分は前記トランスデューサの前記第２部分と、前記波コンデンサの前記第２部分とを結合する請求項２６５に記載の装置。
【請求項２７６】
前記集束素子はテーパ状ハウジングを含む請求項２７３に記載の装置。
【請求項２７７】
前記テーパ状ハウジングのプロファイルは、段付きプロファイル、直線状プロファイル、セグメント化直線状プロファイル、および指数関数的プロファイルから成る群から選択される請求項２７６に記載の装置。
【請求項２７８】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項２７０に記載の装置。
【請求項２７９】
前記波コンデンサは、前記音波のエネルギーが複数の方向から毛に伝達されるように毛を受容するように構成されたチャンバを含む請求項２６４に記載の装置。
【請求項２８０】
前記チャンバは超音波伝導ゲルを包含する請求項２７９に記載の装置。
【請求項２８１】
前記波コンデンサは、約１ミリメートルから約１０ミリメートルまでの曲率半径を特徴とする表面を含む請求項２７９に記載の装置。
【請求項２８２】
前記表面の形状は球面、円筒面、楕円面、放物面、双曲面、およびそれらの任意の組合せまたはそれらの一部分から成る群から選択される請求項２８１に記載の装置。
【請求項２８３】
前記波コンデンサは、分割するように作動し、それによって毛を受容するための間隙を形成する請求項２４８に記載の装置。
【請求項２８４】
前記波コンデンサおよび前記トランスデューサは、分割するように作動し、それによって毛を受容するための間隙を形成する請求項２４８に記載の装置。
【請求項２８５】
前記波コンデンサならびに前記トランスデューサおよび前記集束素子の少なくとも１つは、分割するように作動し、それによって毛を受容するための間隙を形成する請求項２７３に記載の装置。
【請求項２８６】
毛に対して前記波コンデンサを移動させるための駆動機構をさらに含む請求項２８３に記載の装置。
【請求項２８７】
前記波コンデンサは、前記波コンデンサが分割したときに、毛が前記間隙に係合し、前記波コンデンサが再組立されたときに、毛が前記波コンデンサによって挟持され、前記音波によって照射されるように、周期的に分割および再組立されるように作動することができる請求項２８６に記載の装置。
【請求項２８８】
前記駆動機構は前記波コンデンサに回転運動をもたらすように構成される請求項２８６に記載の装置。
【請求項２８９】
前記駆動機構は前記波コンデンサに往復直線運動をもたらすように構成される請求項２８６に記載の装置。
【請求項２９０】
毛を捕捉するために、前記波コンデンサと協働して作動する毛捕捉器をさらに含む請求項２４８に記載の装置。
【請求項２９１】
前記毛捕捉器は、ブラシ、ネット、およびクランプからなる群から選択される請求項２９０に記載の装置。
【請求項２９２】
前記毛捕捉器は超音波伝導ゲルを毛に塗るように作動することができる請求項２９０に記載の装置。
【請求項２９３】
前記超音波伝導ゲルをさらに含む請求項２９０に記載の装置。
【請求項２９４】
前記毛捕捉器は、毛の脱離を達成するために毛を引っ張るように作動することができる請求項２９０に記載の装置。
【請求項２９５】
前記超音波は少なくとも１５０ｋＨｚの周波数である請求項２６４に記載の装置。
【請求項２９６】
前記超音波は少なくとも５００ｋＨｚの周波数である請求項２６４に記載の装置。
【請求項２９７】
前記超音波は約１５０ｋＨｚから約１３００ｋＨｚまでの範囲の周波数である請求項２６４に記載の装置。
【請求項２９８】
前記超音波は約５００ｋＨｚから約１０００ｋＨｚまでの範囲の周波数である請求項２６４に記載の装置。
【請求項２９９】
前記トランスデューサは、１平方センチメートル当たり少なくとも１ワットの出力密度の音波を発生するように構成される請求項２４８に記載の装置。
【請求項３００】
前記トランスデューサは、１平方センチメートル当たり約１ワットから１平方センチメートル当たり約１００ワットまでの出力密度の音波を発生するように構成される請求項２４８に記載の装置。
【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
皮膚（３０）から突出する望ましくない毛を処理するための装置（２０）であって、音波を発生するためのトランスデューサ（２２）を含む装置において、前記音波が集束されて毛（２８）を通って皮膚（３０）を過ぎて伝達され、
それ自体毛の毛包（３１）、真皮乳頭（３２）、毛隆起（３５）、および／または胚マトリックス（３３）を損傷または破壊するのに充分な熱を毛の前記毛包、前記真皮乳頭、前記毛隆起、および／または前記胚マトリックスに発生するように、前記音波と毛の間の音響結合を確立するために毛（２８）を挟持するための波コンデンサ（２４）をさらに含む装置。
【請求項２】
前記波コンデンサは、前記音波の伝搬方向が、前記波コンデンサに入るときに、毛の長手軸とほぼ平行になるように設計および構成される請求項１に記載の装置。
【請求項３】
前記波コンデンサは、前記音波の伝搬方向が、前記波コンデンサに入るときに、毛の長手軸に対しほぼ直角になるように設計および構成される請求項１に記載の装置。
【請求項４】
前記波コンデンサは、前記音波の伝搬方向が、波コンデンサに入るときに、毛の長手軸に対しほぼ傾斜するように設計および構成される請求項１に記載の装置。
【請求項５】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項１に記載の装置。
【請求項６】
前記結合長は約１ｍｍより長い請求項５に記載の装置。
【請求項７】
前記結合長は約６ｍｍより短い請求項５に記載の装置。
【請求項８】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項１に記載の装置。
【請求項９】
前記音波の周波数、出力密度、および伝達の持続時間の少なくとも一つが、毛の振動を最小化するように選択される請求項１に記載の装置。
【請求項１０】
前記毛の振動は毛の長手方向振動を含む請求項９に記載の装置。
【請求項１１】
前記音波の前記周波数、前記出力密度、および／または前記伝達の持続時間を、毛の前記長手方向振動の固有振幅が１０マイクロメートル未満となるように選択する請求項１０に記載の装置。
【請求項１２】
前記音波の前記周波数、前記出力密度、および／または前記伝達の持続時間を、毛の前記長手方向振動の固有振幅が５マイクロメートル未満となるように選択する請求項１０に記載の装置。
【請求項１３】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１に記載の装置。
【請求項１４】
前記周波数はオフレゾナンス周波数である請求項１３に記載の装置。
【請求項１５】
前記トランスデューサは超音波を発生する超音波トランスデューサである請求項１３に記載の装置。
【請求項１６】
前記トランスデューサは、圧電セラミック素子および圧電複合素子から成る群から選択された能動素子を含む請求項１に記載の装置。
【請求項１７】
前記トランスデューサは第１部分および第２部分を含み、前記第１部分および前記第２部分の各々が少なくとも１つの能動素子を含む請求項１６に記載の装置。
【請求項１８】
前記波コンデンサは、前記トランスデューサの前記第１部分に結合された第１部分と、前記トランスデューサの前記第２部分に結合された第２部分とを含む請求項１６に記載の装置。
【請求項１９】
前記トランスデューサは平面状能動素子を含む請求項１６に記載の装置。
【請求項２０】
前記トランスデューサは凹面状能動素子を含む請求項１６に記載の装置。
【請求項２１】
前記トランスデューサは、表面上に配列された複数の能動素子を含む請求項１６に記載の装置。
【請求項２２】
前記表面は平面である請求項２１に記載の装置。
【請求項２３】
前記表面は凹面である請求項２１に記載の装置。
【請求項２４】
前記音波を前記波コンデンサ内に集束するように設計および構成された、前記トランスデューサおよび前記波コンデンサを結合する集束素子をさらに含む請求項１に記載の装置。
【請求項２５】
前記トランスデューサは第１部分および第２部分を含み、前記第１部分および前記第２部分の各々が少なくとも１つの能動素子を含む請求項２４に記載の装置。
【請求項２６】
前記波コンデンサおよび前記集束素子の各々は第１部分および第２部分を含み、前記集束素子の前記第１部分は前記トランスデューサの前記第１部分と、前記波コンデンサの第１部分とを結合し、前記集束素子の前記第２部分は前記トランスデューサの前記第２部分と、前記波コンデンサの第２部分とを結合する請求項１６に記載の装置。
【請求項２７】
前記集束素子はテーパ状ハウジングを含む請求項２４に記載の装置。
【請求項２８】
前記テーパ状ハウジングのプロファイルは、段付きプロファイル、直線状プロファイル、セグメント化直線状プロファイル、および指数関数的プロファイルから成る群から選択される請求項２７に記載の装置。
【請求項２９】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項２１に記載の装置。
【請求項３０】
前記波コンデンサは、前記音波のエネルギーが複数の方向から毛に伝達されるように毛を受容するように構成されたチャンバを含む請求項１５に記載の装置。
【請求項３１】
前記チャンバは超音波伝導ゲルを包含する請求項３０に記載の装置。
【請求項３２】
前記波コンデンサは、約１ミリメートルから約１０ミリメートルまでの曲率半径を特徴とする表面を含む請求項３０に記載の装置。
【請求項３３】
前記表面の形状は球面、円筒面、楕円面、放物面、双曲面、およびそれらの任意の組合せまたはそれらの一部分から成る群から選択される請求項３２に記載の装置。
【請求項３４】
前記波コンデンサは、分割するように作動し、それによって毛を受容するための間隙を形成する請求項１に記載の装置。
【請求項３５】
前記波コンデンサおよび前記トランスデューサは、分割するように作動し、それによって毛を受容するための間隙を形成する請求項１に記載の装置。
【請求項３６】
前記波コンデンサならびに前記トランスデューサおよび前記集束素子の少なくとも１つは、分割するように作動し、それによって毛を受容するための間隙を形成する請求項２４に記載の装置。
【請求項３７】
毛に対して前記波コンデンサを移動させるための駆動機構をさらに含む請求項３４に記載の装置。
【請求項３８】
前記波コンデンサは、前記波コンデンサが分割したときに毛が前記間隙に係合し、前記波コンデンサが再組立されたときに、毛が前記波コンデンサによって挟持され、前記音波によって照射されるように、周期的に分割および再組立されるように作動することができる請求項３７に記載の装置。
【請求項３９】
前記駆動機構は前記波コンデンサに回転運動をもたらすように構成される請求項３７に記載の装置。
【請求項４０】
前記駆動機構は前記波コンデンサに往復直線運動をもたらすように構成される請求項３７に記載の装置。
【請求項４１】
毛を捕捉するために、前記波コンデンサと協働して作動する毛捕捉器をさらに含む請求項１に記載の装置。
【請求項４２】
前記毛捕捉器は、ブラシ、ネット、およびクランプからなる群から選択される請求項４１に記載の装置。
【請求項４３】
前記毛捕捉器は超音波伝導ゲルを毛に塗るように作動することができる請求項４１に記載の装置。
【請求項４４】
前記超音波伝導ゲルをさらに含む請求項４１に記載の装置。
【請求項４５】
前記毛捕捉器は、毛の脱離を達成するために毛を引っ張るように作動することができる請求項４１に記載の装置。
【請求項４６】
前記超音波は少なくとも１５０ｋＨｚの周波数である請求項１５に記載の装置。
【請求項４７】
前記超音波は少なくとも５００ｋＨｚの周波数である請求項１５に記載の装置。
【請求項４８】
前記超音波は約１５０ｋＨｚから約１３００ｋＨｚまでの範囲の周波数である請求項１５に記載の装置。
【請求項４９】
前記超音波は約５００ｋＨｚから約１０００ｋＨｚまでの範囲の周波数である請求項１５に記載の装置。
【請求項５０】
前記トランスデューサは、１平方センチメートル当たり少なくとも１ワットの出力密度の音波を発生するように構成される請求項１に記載の装置。
【請求項５１】
前記トランスデューサは、１平方センチメートル当たり約１ワットから１平方センチメートル当たり約１００ワットまでの出力密度の音波を発生するように構成される請求項１に記載の装置。
【請求項５２】
望ましくない毛を処理するための装置であって、音波を発生するためのトランスデューサと、前記音波を集束して毛に伝達させるための波コンデンサとを含み、前記波コンデンサが毛と前記音波との間の音響結合を増強するように毛を挟持するように設計および構成される、装置。
【請求項５３】
前記トランスデューサおよび前記波コンデンサは、前記音波が毛に伝達するとき、毛の毛包、真皮乳頭、毛隆起、および／または胚マトリックスに熱を発生させ、前記熱はそれ自体、前記毛包、前記真皮乳頭、前記毛隆起、および／または前記胚マトリックスを損傷または破壊するのに充分であるように設計および構成される請求項５２に記載の装置。
【請求項５４】
前記波コンデンサは、前記音波の伝搬方向が、前記波コンデンサに入るときに、毛の長手軸とほぼ平行になるように設計および構成される請求項５２に記載の装置。
【請求項５５】
前記波コンデンサは、前記音波の伝搬方向が、前記波コンデンサに入るときに、毛の長手軸に対しほぼ直角になるように設計および構成される請求項５２に記載の装置。
【請求項５６】
前記波コンデンサは、前記音波の伝搬方向が、前記波コンデンサに入るときに、毛の長手軸に対しほぼ傾斜するように設計および構成される請求項５２に記載の装置。
【請求項５７】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項５２に記載の装置。
【請求項５８】
前記結合長は約１ｍｍより長い請求項５７に記載の装置。
【請求項５９】
前記結合長は約６ｍｍより短い請求項５７に記載の装置。
【請求項６０】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項５２に記載の装置。
【請求項６１】
前記音波の周波数、出力密度、および伝達の持続時間の少なくとも一つが、毛の振動を最小化するように選択される請求項５２に記載の装置。
【請求項６２】
前記毛の振動は毛の長手方向振動を含む請求項６１に記載の装置。
【請求項６３】
前記音波の前記周波数、前記出力密度、および／または前記伝達の持続時間を、毛の前記長手方向振動の固有振幅が１０マイクロメートル未満となるように選択する請求項６２に記載の装置。
【請求項６４】
前記音波の前記周波数、前記出力密度、および／または前記伝達の持続時間を、毛の前記長手方向振動の固有振幅が５マイクロメートル未満となるように選択する請求項６２に記載の装置。
【請求項６５】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項５２に記載の装置。
【請求項６６】
前記周波数はオフレゾナンス周波数である請求項６５に記載の装置。
【請求項６７】
前記トランスデューサは、超音波を発生する超音波トランスデューサである請求項６５に記載の装置。
【請求項６８】
前記トランスデューサは、圧電セラミック素子および圧電複合素子から成る群から選択された能動素子を含む請求項５２に記載の装置。
【請求項６９】
前記トランスデューサは第１部分および第２部分を含み、前記第１部分および前記第２部分の各々が少なくとも１つの能動素子を含む請求項６８に記載の装置。
【請求項７０】
前記波コンデンサは、前記トランスデューサの前記第１部分に結合された第１部分と、前記トランスデューサの前記第２部分に結合された第２部分とを含む請求項６８に記載の装置。
【請求項７１】
前記トランスデューサは平面状能動素子を含む請求項６８に記載の装置。
【請求項７２】
前記トランスデューサは凹面状能動素子を含む請求項６８に記載の装置。
【請求項７３】
前記トランスデューサは、表面上に配列された複数の能動素子を含む請求項６８に記載の装置。
【請求項７４】
前記表面は平面である請求項７３に記載の装置。
【請求項７５】
前記表面は凹面である請求項７３に記載の装置。
【請求項７６】
前記音波を前記波コンデンサ内に集束するように設計および構成された、前記トランスデューサおよび前記波コンデンサを結合する集束素子をさらに含む請求項５２に記載の装置。
【請求項７７】
前記トランスデューサは第１部分および第２部分を含み、前記第１部分および前記第２部分の各々が少なくとも１つの能動素子を含む請求項７６に記載の装置。
【請求項７８】
前記波コンデンサおよび前記集束素子の各々は第１部分および第２部分を含み、前記集束素子の前記第１部分は前記トランスデューサの前記第１部分と、前記波コンデンサの第１部分とを結合し、前記集束素子の前記第２部分は前記トランスデューサの前記第２部分と、前記波コンデンサの第２部分とを結合する請求項６８に記載の装置。
【請求項７９】
前記集束素子はテーパ状ハウジングを含む請求項７６に記載の装置。
【請求項８０】
前記テーパ状ハウジングのプロファイルは、段付きプロファイル、直線状プロファイル、セグメント化直線状プロファイル、および指数関数的プロファイルから成る群から選択される請求項７９に記載の装置。
【請求項８１】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項７３に記載の装置。
【請求項８２】
前記波コンデンサは、前記音波のエネルギーが複数の方向から毛に伝達されるように毛を受容するように構成されたチャンバを含む請求項６７に記載の装置。
【請求項８３】
前記チャンバは超音波伝導ゲルを包含する請求項８２に記載の装置。
【請求項８４】
前記波コンデンサは、約１ミリメートルから約１０ミリメートルまでの曲率半径を特徴とする表面を含む請求項８２に記載の装置。
【請求項８５】
前記表面の形状は球面、円筒面、楕円面、放物面、双曲面、およびそれらの任意の組合せまたはそれらの一部分から成る群から選択される請求項８４に記載の装置。
【請求項８６】
前記波コンデンサは、分割するように作動し、それによって毛を受容するための間隙を形成する請求項５２に記載の装置。
【請求項８７】
前記波コンデンサおよび前記トランスデューサは、分割するように作動し、それによって毛を受容するための間隙を形成する請求項５２に記載の装置。
【請求項８８】
前記波コンデンサならびに前記トランスデューサおよび前記集束素子の少なくとも１つは、分割するように作動し、それによって毛を受容するための間隙を形成する請求項７６に記載の装置。
【請求項８９】
毛に対して前記波コンデンサを移動させるための駆動機構をさらに含む請求項８６に記載の装置。
【請求項９０】
前記波コンデンサは、前記波コンデンサが分割したときに毛が前記間隙に係合し、前記波コンデンサが再組立されたときに、毛が前記波コンデンサによって挟持され、前記音波によって照射されるように、周期的に分割および再組立されるように作動することができる請求項８９に記載の装置。
【請求項９１】
前記駆動機構は前記波コンデンサに回転運動をもたらすように構成される請求項８９に記載の装置。
【請求項９２】
前記駆動機構は前記波コンデンサに往復直線運動をもたらすように構成される請求項８９に記載の装置。
【請求項９３】
毛を捕捉するために、前記波コンデンサと協働して作動する毛捕捉器をさらに含む請求項５２に記載の装置。
【請求項９４】
前記毛捕捉器は、ブラシ、ネット、およびクランプからなる群から選択される請求項９３に記載の装置。
【請求項９５】
前記毛捕捉器は超音波伝導ゲルを毛に塗るように作動することができる請求項９３に記載の装置。
【請求項９６】
前記超音波伝導ゲルをさらに含む請求項９３に記載の装置。
【請求項９７】
前記毛捕捉器は、毛の脱離を達成するために毛を引っ張るように作動することができる請求項９３に記載の装置。
【請求項９８】
前記超音波は少なくとも１５０ｋＨｚの周波数である請求項６７に記載の装置。
【請求項９９】
前記超音波は少なくとも５００ｋＨｚの周波数である請求項６７に記載の装置。
【請求項１００】
前記超音波は約１５０ｋＨｚから約１３００ｋＨｚまでの範囲の周波数である請求項６７記載の装置。
【請求項１０１】
前記超音波は約５００ｋＨｚから約１０００ｋＨｚまでの範囲の周波数である請求項６７に記載の装置。
【請求項１０２】
前記トランスデューサは、１平方センチメートル当たり少なくとも１ワットの出力密度の音波を発生するように構成される請求項５２に記載の装置。
【請求項１０３】
前記トランスデューサは、１平方センチメートル当たり約１ワットから１平方センチメートル当たり約１００ワットまでの出力密度の音波を発生するように構成される請求項５２に記載の装置。
【請求項１０４】
望ましくない毛を処理するための装置であって、音波を発生するためのトランスデューサと、前記音波を集束して毛に伝達させるための波コンデンサとを含み、前記音波の周波数、出力密度、および伝達の持続時間のうちの少なくとも１つが毛の振動を最小化するように選択される、装置。
【請求項１０５】
前記毛の振動は毛の長手方向振動を含む請求項１０４に記載の装置。
【請求項１０６】
前記トランスデューサおよび前記波コンデンサは、前記音波が毛に伝達するとき、毛の毛包、真皮乳頭、毛隆起、および／または胚マトリックスに熱を発生させ、前記熱はそれ自体、前記毛包、前記真皮乳頭、前記毛隆起、および／または前記胚マトリックスを損傷または破壊するのに充分であるように設計および構成される請求項１０４に記載の装置。
【請求項１０７】
前記波コンデンサは、前記音波の伝搬方向が、前記波コンデンサに入るときに、毛の長手軸とほぼ平行になるように設計および構成される請求項１０４に記載の装置。
【請求項１０８】
前記波コンデンサは、前記音波の伝搬方向が、前記波コンデンサに入るときに、毛の長手軸に対しほぼ直角になるように設計および構成される請求項１０４に記載の装置。
【請求項１０９】
前記波コンデンサは、前記音波の伝搬方向が、波コンデンサに入るときに、毛の長手軸に対しほぼ傾斜するように設計および構成される請求項１０４に記載の装置。
【請求項１１０】
前記波コンデンサは、前記音波と毛との間の音響結合が増強されるように毛を挟持するように設計および構成される請求項１０４に記載の装置。
【請求項１１１】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項１１０に記載の装置。
【請求項１１２】
前記結合長は約１ｍｍより長い請求項１１１に記載の装置。
【請求項１１３】
前記結合長は約６ｍｍより短い請求項１１１に記載の装置。
【請求項１１４】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項１０４に記載の装置。
【請求項１１５】
前記音波の前記周波数、前記出力密度、および／または前記伝達の持続時間を、毛の前記長手方向振動の固有振幅が１０マイクロメートル未満となるように選択する請求項１０５に記載の装置。
【請求項１１６】
前記音波の前記周波数、前記出力密度、および／または前記伝達の持続時間を、毛の前記長手方向振動の固有振幅が５マイクロメートル未満となるように選択する請求項１０５に記載の装置。
【請求項１１７】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１０４に記載の装置。
【請求項１１８】
前記周波数はオフレゾナンス周波数である請求項１１７に記載の装置。
【請求項１１９】
前記トランスデューサは、超音波を発生する超音波トランスデューサである請求項１１７に記載の装置。
【請求項１２０】
前記トランスデューサは、圧電セラミック素子および圧電複合素子から成る群から選択された能動素子を含む請求項１０４に記載の装置。
【請求項１２１】
前記トランスデューサは第１部分および第２部分を含み、前記第１部分および前記第２部分の各々が少なくとも１つの能動素子を含む請求項１２０に記載の装置。
【請求項１２２】
前記波コンデンサは、前記トランスデューサの前記第１部分に結合された第１部分と、前記トランスデューサの前記第２部分に結合された第２部分とを含む請求項１２０に記載の装置。
【請求項１２３】
前記トランスデューサは平面状能動素子を含む請求項１２０に記載の装置。
【請求項１２４】
前記トランスデューサは凹面状能動素子を含む請求項１２０に記載の装置。
【請求項１２５】
前記トランスデューサは、表面上に配列された複数の能動素子を含む請求項１２０に記載の装置。
【請求項１２６】
前記表面は平面である請求項１２５に記載の装置。
【請求項１２７】
前記表面は凹面である請求項１２５に記載の装置。
【請求項１２８】
前記音波を前記波コンデンサ内に集束するように設計および構成された、前記トランスデューサおよび前記波コンデンサを結合する集束素子をさらに含む請求項１０４に記載の装置。
【請求項１２９】
前記トランスデューサは第１部分および第２部分を含み、前記第１部分および前記第２部分の各々が少なくとも１つの能動素子を含む請求項１２８に記載の装置。
【請求項１３０】
前記波コンデンサおよび前記集束素子の各々は第１部分および第２部分を含み、前記集束素子の前記第１部分は前記トランスデューサの前記第１部分と、前記波コンデンサの前記第１部分とを結合し、前記集束素子の前記第２部分は前記トランスデューサの前記第２部分と、前記波コンデンサの前記第２部分とを結合する請求項１２０に記載の装置。
【請求項１３１】
前記集束素子はテーパ状ハウジングを含む請求項１２８に記載の装置。
【請求項１３２】
前記テーパ状ハウジングのプロファイルは、段付きプロファイル、直線状プロファイル、セグメント化直線状プロファイル、および指数関数的プロファイルから成る群から選択される請求項１３１に記載の装置。
【請求項１３３】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項１２５に記載の装置。
【請求項１３４】
前記波コンデンサは、前記音波のエネルギーが複数の方向から毛に伝達されるように毛を受容するように構成されたチャンバを含む請求項１１９に記載の装置。
【請求項１３５】
前記チャンバは超音波伝導ゲルを包含する請求項１３４に記載の装置。
【請求項１３６】
前記波コンデンサは、約１ミリメートルから約１０ミリメートルまでの曲率半径を特徴とする表面を含む請求項１３４に記載の装置。
【請求項１３７】
前記表面の形状は球面、円筒面、楕円面、放物面、双曲面、およびそれらの任意の組合せまたはそれらの一部分から成る群から選択される請求項１３６に記載の装置。
【請求項１３８】
前記波コンデンサは、分割するように作動し、それによって毛を受容するための間隙を形成する請求項１０４に記載の装置。
【請求項１３９】
前記波コンデンサおよび前記トランスデューサは、分割するように作動し、それによって毛を受容するための間隙を形成する請求項１０４に記載の装置。
【請求項１４０】
前記波コンデンサならびに前記トランスデューサおよび前記集束素子の少なくとも１つは、分割するように作動し、それによって毛を受容するための間隙を形成する請求項１２８に記載の装置。
【請求項１４１】
毛に対して前記波コンデンサを移動させるための駆動機構をさらに含む請求項１３８に記載の装置。
【請求項１４２】
前記波コンデンサは、前記波コンデンサが分割したときに毛が前記間隙に係合し、前記波コンデンサが再組立されたときに、毛が前記波コンデンサによって挟持され、前記音波によって照射されるように、周期的に分割および再組立されるように作動することができる請求項１４１に記載の装置。
【請求項１４３】
前記駆動機構は前記波コンデンサに回転運動をもたらすように構成される請求項１４１に記載の装置。
【請求項１４４】
前記駆動機構は前記波コンデンサに往復直線運動をもたらすように構成される請求項１４１に記載の装置。
【請求項１４５】
毛を捕捉するために、前記波コンデンサと協働して作動する毛捕捉器をさらに含む請求項１０４に記載の装置。
【請求項１４６】
前記毛捕捉器は、ブラシ、ネット、およびクランプからなる群から選択される請求項１４５に記載の装置。
【請求項１４７】
前記毛捕捉器は超音波伝導ゲルを毛に塗るように作動することができる請求項１４５に記載の装置。
【請求項１４８】
前記超音波伝導ゲルをさらに含む請求項１４５に記載の装置。
【請求項１４９】
前記毛捕捉器は、毛の脱離を達成するために毛を引っ張るように作動することができる請求項１４５に記載の装置。
【請求項１５０】
前記超音波は少なくとも１５０ｋＨｚの周波数である請求項１１９に記載の装置。
【請求項１５１】
前記超音波は少なくとも５００ｋＨｚの周波数である請求項１１９に記載の装置。
【請求項１５２】
前記超音波は約１５０ｋＨｚから約１３００ｋＨｚまでの範囲の周波数である請求１１９に記載の装置。
【請求項１５３】
前記超音波は約５００ｋＨｚから約１０００ｋＨｚまでの範囲の周波数である請求項１１９に記載の装置。
【請求項１５４】
前記トランスデューサは、１平方センチメートル当たり少なくとも１ワットの出力密度の音波を発生するように構成される請求項１０４に記載の装置。
【請求項１５５】
前記トランスデューサは、１平方センチメートル当たり約１ワットから１平方センチメートル当たり約１００ワットまでの出力密度の音波を発生するように構成される請求項１０４に記載の装置。
【請求項１５６】
望ましくない毛を処理するための装置（２０）であって、約１５０ｋＨｚから約１３００ｋＨｚまでの周波数の音波を発生するためのトランスデューサ（２０）と、前記音波を集束して毛（２８）に伝達させるための波コンデンサ（２４）とを含む装置であって、前記トランスデューサおよび前記波コンデンサは、前記音波が毛に伝達するとき、毛の毛包、真皮乳頭、毛隆起、および／または胚マトリックスに熱を発生させるように設計および構成される装置。
【請求項１５７】
前記熱はそれ自体、前記毛包、前記真皮乳頭、前記毛隆起、および／または前記胚マトリックスを損傷または破壊するのに充分である請求項１５６に記載の装置。
【請求項１５８】
前記波コンデンサは、前記音波の伝搬方向が、前記波コンデンサに入るときに毛の長手軸とほぼ平行になるように設計および構成される請求項１５６に記載の装置。
【請求項１５９】
前記波コンデンサは、前記音波の伝搬方向が、前記波コンデンサに入るときに毛の長手軸に対しほぼ直角になるように設計および構成される請求項１５６に記載の装置。
【請求項１６０】
前記波コンデンサは、前記音波の伝搬方向が、波コンデンサに入るときに毛の長手軸に対しほぼ傾斜するように設計および構成される請求項１５６に記載の装置。
【請求項１６１】
前記波コンデンサは、前記音波と毛との間の音響結合が増強されるように毛を挟持するように設計および構成される請求項１５６に記載の装置。
【請求項１６２】
前記音響結合は、前記毛包、前記真皮乳頭、前記毛隆起、および／または前記胚マトリックスにおける前記熱が結果的に少なくとも２０℃の温度上昇を生じるように選択された結合長によって特徴付けられる請求項１６１に記載の装置。
【請求項１６３】
前記結合長は約１ｍｍより長い請求項１６２に記載の装置。
【請求項１６４】
前記結合長は約６ｍｍより短い請求項１６２に記載の装置。
【請求項１６５】
前記トランスデューサおよび前記波コンデンサは、前記毛包、前記真皮乳頭、前記毛隆起、および／または前記胚マトリックスにおける熱が結果的に少なくとも２０℃の温度上昇を引き起こすように設計および構成される請求項１５６に記載の装置。
【請求項１６６】
前記音波の周波数、出力密度、および伝達の持続時間の少なくとも一つが、毛の振動を最小化するように選択される請求項１５６に記載の装置。
【請求項１６７】
前記毛の振動は毛の長手方向振動を含む請求項１６６に記載の装置。
【請求項１６８】
前記音波の前記周波数、前記出力密度、および／または前記伝達の持続時間を、毛の前記長手方向振動の固有振幅が１０マイクロメートル未満となるように選択する請求項１６７に記載の装置。
【請求項１６９】
前記音波の前記周波数、前記出力密度、および／または前記伝達の持続時間を、毛の前記長手方向振動の固有振幅が５マイクロメートル未満となるように選択する請求項１６７に記載の装置。
【請求項１７０】
前記音波の周波数、出力密度、および伝達の持続時間の少なくとも一つは、前記毛包、前記真皮乳頭、前記毛隆起、および／または前記胚マトリックスにおける熱が結果的に少なくとも２０℃の温度上昇を引き起こすように、選択される請求項１５６に記載の装置。
【請求項１７１】
前記周波数はオフレゾナンス周波数である請求項１７０に記載の装置。
【請求項１７２】
前記トランスデューサは、超音波を発生する超音波トランスデューサである請求項１７０に記載の装置。
【請求項１７３】
前記トランスデューサは、圧電セラミック素子および圧電複合素子から成る群から選択された能動素子を含む請求項１５６に記載の装置。
【請求項１７４】
前記トランスデューサは第１部分および第２部分を含み、前記第１部分および前記第２部分の各々が少なくとも１つの能動素子を含む請求項１７３に記載の装置。
【請求項１７５】
前記波コンデンサは、前記トランスデューサの前記第１部分に結合された第１部分と、前記トランスデューサの前記第２部分に結合された第２部分とを含む請求項１７３に記載の装置。
【請求項１７６】
前記トランスデューサは平面状能動素子を含む請求項１７３に記載の装置。
【請求項１７７】
前記トランスデューサは凹面状能動素子を含む請求項１７３に記載の装置。
【請求項１７８】
前記トランスデューサは、表面上に配列された複数の能動素子を含む請求項１７３に記載の装置。
【請求項１７９】
前記表面は平面である請求項１７８に記載の装置。
【請求項１８０】
前記表面は凹面である請求項１７８に記載の装置。
【請求項１８１】
前記音波を前記波コンデンサ内に集束するように設計および構成された、前記トランスデューサおよび前記波コンデンサを結合する集束素子をさらに含む請求項１５６に記載の装置。
【請求項１８２】
前記トランスデューサは第１部分および第２部分を含み、前記第１部分および前記第２部分の各々が少なくとも１つの能動素子を含む請求項１８１に記載の装置。
【請求項１８３】
前記波コンデンサおよび前記集束素子の各々は第１部分および第２部分を含み、前記集束素子の前記第１部分は前記トランスデューサの前記第１部分と、前記波コンデンサの前記第１部分とを結合し、前記集束素子の前記第２部分は前記トランスデューサの前記第２部分と、前記波コンデンサの前記第２部分とを結合する請求項１７３に記載の装置。
【請求項１８４】
前記集束素子はテーパ状ハウジングを含む請求項１８１に記載の装置。
【請求項１８５】
前記テーパ状ハウジングのプロファイルは、段付きプロファイル、直線状プロファイル、セグメント化直線状プロファイル、および指数関数的プロファイルから成る群から選択される請求項１８４に記載の装置。
【請求項１８６】
複数の集束素子の各々の集束素子が複数の能動素子のうちの１つの能動素子に接続されるように配列され、前記音波のそれぞれの部分を前記波コンデンサに集束するように設計および構成された複数の集束素子をさらに含む請求項１７８に記載の装置。
【請求項１８７】
前記波コンデンサは、前記音波のエネルギーが複数の方向から毛に伝達されるように毛を受容するように構成されたチャンバを含む請求項１７２に記載の装置。
【請求項１８８】
前記チャンバは超音波伝導ゲルを包含する請求項１８７に記載の装置。
【請求項１８９】
前記波コンデンサは、約１ミリメートルから約１０ミリメートルまでの曲率半径を特徴とする表面を含む請求項１８７に記載の装置。
【請求項１９０】
前記表面の形状は球面、円筒面、楕円面、放物面、双曲面、およびそれらの任意の組合せまたはそれらの一部分から成る群から選択される請求項１８９に記載の装置。
【請求項１９１】
前記波コンデンサは、分割するように作動し、それによって毛を受容するための間隙を形成する請求項１５６に記載の装置。
【請求項１９２】
前記波コンデンサおよび前記トランスデューサは、分割するように作動し、それによって毛を受容するための間隙を形成する請求項１５６に記載の装置。
【請求項１９３】
前記波コンデンサならびに前記トランスデューサおよび前記集束素子の少なくとも１つは、分割するように作動し、それによって毛を受容するための間隙を形成する請求項１８１に記載の装置。
【請求項１９４】
毛に対して前記波コンデンサを移動させるための駆動機構をさらに含む請求項１９１に記載の装置。
【請求項１９５】
前記波コンデンサは、前記波コンデンサが分割したときに、毛が前記間隙に係合し、前記波コンデンサが再組立されたときに、毛が前記波コンデンサによって挟持され、前記音波によって照射されるように、周期的に分割および再組立されるように作動することができる請求項１９４に記載の装置。
【請求項１９６】
前記駆動機構は前記波コンデンサに回転運動をもたらすように構成される請求項１９４に記載の装置。
【請求項１９７】
前記駆動機構は前記波コンデンサに往復直線運動をもたらすように構成される請求項１９４に記載の装置。
【請求項１９８】
毛を捕捉するために、前記波コンデンサと協働して作動する毛捕捉器をさらに含む請求項１５６に記載の装置。
【請求項１９９】
前記毛捕捉器は、ブラシ、ネット、およびクランプからなる群から選択される請求項１９８に記載の装置。
【請求項２００】
前記毛捕捉器は超音波伝導ゲルを毛に塗るように作動することができる請求項１９８に記載の装置。
【請求項２０１】
前記超音波伝導ゲルをさらに含む請求項１９８に記載の装置。
【請求項２０２】
前記毛捕捉器は、毛の脱離を達成するために毛を引っ張るように作動することができる請求項１９８に記載の装置。
【請求項２０３】
前記超音波は少なくとも１５０ｋＨｚの周波数である請求項１７２に記載の装置。
【請求項２０４】
前記超音波は少なくとも５００ｋＨｚの周波数である請求項１７２に記載の装置。
【請求項２０５】
前記超音波は約１５０ｋＨｚから約１３００ｋＨｚまでの範囲の周波数である請求項１７２に記載の装置。
【請求項２０６】
前記超音波は約５００ｋＨｚから約１０００ｋＨｚまでの範囲の周波数である請求項１７２に記載の装置。
【請求項２０７】
前記トランスデューサは、１平方センチメートル当たり少なくとも１ワットの出力密度の音波を発生するように構成される請求項１５６に記載の装置。
【請求項２０８】
前記トランスデューサは、１平方センチメートル当たり約１ワットから１平方センチメートル当たり約１００ワットまでの出力密度の音波を発生するように構成される請求項１５６に記載の装置。
【国際調査報告】
2007522904.tif 000016
2007522904.tif 000017
2007522904.tif 000018
2007522904.tif 000019
2007522904.tif 000020